(57)【要約】  １つ又は複数の帯域セグメント化ブートストラップ信号及び１つ又は複数の対応する区分化ブートストラップ後信号を生成、送信、受信、及び復号する装置及び方法が提供される。例えば、送信機は、第１の組のシンボル及び第２の組のシンボルを生成するように構成され、第１の組のシンボルは、第２の組のシンボルについての情報を含む。送信機は、第３の組のシンボル及び第４の組のシンボルを生成するように更に構成され、第３の組のシンボルは、第４の組のシンボルについての情報を含む。送信機は、第１、第２、第３、及び第４の組のシンボルを含むデータフレームを生成するようにも構成される。データフレームの帯域幅は、第１のセグメント及び第２のセグメントを含む。
2019533402.tif 000002
【特許請求の範囲】
【請求項１】
プログラム命令を記憶するように構成されるメモリと、
プロセッサと
を含む送信機であって、
前記プロセッサは、前記プログラム命令を実行すると、
第１の組のシンボル及び第２の組のシンボルを生成することであって、前記第１の組のシンボルにおける各シンボルは、第１の複数のサブキャリアを含み、前記第２の組のシンボルにおける各シンボルは、第２の複数のサブキャリアを含み、前記第１の組のシンボルは、前記第２の組のシンボルについての情報を含み、前記第１の複数のサブキャリアは、前記第２の複数のサブキャリアのサブセットである、生成することと、
第３の組のシンボル及び第４の組のシンボルを生成することであって、前記第３の組のシンボルにおける各シンボルは、第３の複数のサブキャリアを含み、前記第４の組のシンボルにおける各シンボルは、第４の複数のサブキャリアを含み、前記第３の組のシンボルは、前記第４の組のシンボルについての情報を含み、前記第３の複数のサブキャリアは、前記第４の複数のサブキャリアのサブセットである、生成することと、
前記第１の組のシンボル、前記第２の組のシンボル、前記第３の組のシンボル、及び前記第４の組のシンボルを含むデータフレームを生成することであって、前記データフレームの帯域幅は、前記第２の複数のサブキャリアを含む第１のセグメント及び前記第４の複数のサブキャリアを含む第２のセグメントを含む、生成することと
を行うように構成される、送信機。
【請求項２】
前記第１のセグメントの帯域幅は、前記第２のセグメントの帯域幅に等しい、請求項１に記載の送信機。
【請求項３】
前記第１のセグメントの帯域幅は、前記第２のセグメントの帯域幅と異なる、請求項１に記載の送信機。
【請求項４】
前記第１の組のシンボルに関連付けられた帯域幅は、１．１２２ＭＨｚ、２．２５６ＭＨｚ、及び４．５ＭＨｚからなる群から選択される、請求項１に記載の送信機。
【請求項５】
前記第１の組のシンボルのシンボルを生成するために、前記プロセッサは、
ルートインデックス値に基づいて定振幅零自己相関系列を生成することと、
シード値に基づいて疑似雑音系列を生成することと、
前記疑似雑音系列で前記定振幅零自己相関系列を変調して、複素系列を生成することと、
前記複素系列を時間領域系列に変換することと
を行うように構成される、請求項１に記載の送信機。
【請求項６】
前記定振幅零自己相関系列は、７５１個のサンプル又は３７３個のサンプルの長さを有する、請求項５に記載の送信機。
【請求項７】
前記プロセッサは、逆高速フーリエ変換（ＩＦＦＴ）を使用して前記複素系列を前記時間領域系列に変換するように構成される、請求項５に記載の送信機。
【請求項８】
前記第２の組のシンボルは、１つ又は複数のプリアンブルパイロット信号、エッジパイロット信号、散乱パイロット信号、及び連続パイロット信号を含む、請求項１に記載の送信機。
【請求項９】
前記プロセッサは、
第５の組のシンボル及び第６の組のシンボルを生成することであって、前記第５の組のシンボルにおける各シンボルは、第５の複数のサブキャリアを含み、前記第６の組のシンボルにおける各シンボルは、第６の複数のサブキャリアを含む、生成すること
を行うように更に構成され、
前記第５の組のシンボルは、前記第６の組のシンボルについての情報を含み、
前記第５の複数のサブキャリアは、前記第６第５の複数のサブキャリアのサブセットであり、
前記データフレームは、前記第５の組のシンボル及び前記第６の組のシンボルを更に含み、
前記データフレームの前記帯域幅は、前記第６の複数のサブキャリアを含む第３のセグメントを含む、請求項１に記載の送信機。
【請求項１０】
前記プロセッサは、
第２のデータフレームを生成することと、
前記データフレーム及び前記第２のデータフレームを時間多重化することと
を行うように更に構成される、請求項１に記載の送信機。
【請求項１１】
受信機であって、
データフレームを受信するように構成されるアンテナであって、前記データフレームは、
第１の組のシンボル及び第２の組のシンボルであって、前記第１の組のシンボルにおける各シンボルは、第１の複数のサブキャリアを含み、前記第２の組のシンボルにおける各シンボルは、第２の複数のサブキャリアを含み、前記第１の組のシンボルは、前記第２の組のシンボルについての情報を含み、前記第１の複数のサブキャリアは、前記第２の複数のサブキャリアのサブセットである、第１の組のシンボル及び第２の組のシンボル、
第３の組のシンボル及び第４の組のシンボルであって、前記第３の組のシンボルにおける各シンボルは、第３の複数のサブキャリアを含み、前記第４の組のシンボルにおける各シンボルは、第４の複数のサブキャリアを含み、前記第３の組のシンボルは、前記第４の組のシンボルについての情報を含み、前記第３の複数のサブキャリアは、前記第４の複数のサブキャリアのサブセットである、第３の組のシンボル及び第４の組のシンボル
を含み、
前記データフレームの帯域幅は、前記第２の複数のサブキャリアを含む第１のセグメント及び前記第４の複数のサブキャリアを含む第２のセグメントを含む、アンテナと、
前記第１の組のシンボルを含む前記データフレームの前記帯域幅の前記第１のセグメントを選択するように構成されるフィルタと
を含む、受信機。
【請求項１２】
前記第１の組のシンボルに関連付けられた帯域幅は、前記第３の組のシンボルに関連付けられた帯域幅に等しく、１．１２２ＭＨｚ、２．２５６ＭＨｚ、及び４．５ＭＨｚからなる群から選択される、請求項１１に記載の受信機。
【請求項１３】
前記第１の組のシンボルに関連付けられた帯域幅は、前記第３の組のシンボルに関連付けられた帯域幅と異なり、１．１２２ＭＨｚ、２．２５６ＭＨｚ、及び４．５ＭＨｚからなる群から選択される、請求項１１に記載の受信機。
【請求項１４】
前記データフレームは、第５の組のシンボル及び第６の組のシンボルを含み、前記第６の組のシンボルにおける各シンボルは、第３の複数のサブキャリアを含み、
前記第５の組のシンボルは、前記第６の組のシンボルについての情報を含み、
前記データフレームは、前記第５の組のシンボル及び前記第６の組のシンボルを更に含み、
前記データフレームの前記帯域幅は、前記第３の複数のサブキャリアを含む第３のセグメントを含む、請求項１１に記載の受信機。
【請求項１５】
前記選択された第１の組のシンボルを時間領域から周波数領域に変換するように構成される高速フーリエ変換（ＦＦＴ）モジュールであって、前記ＦＦＴモジュールは１０２４又は５１２のサイズを有する、ＦＦＴモジュール
を更に含む、請求項１１に記載の受信機。
【請求項１６】
前記第２の組のシンボルは、１つ又は複数のプリアンブルパイロット信号、エッジパイロット信号、散乱パイロット信号、及び連続パイロット信号を含む、請求項１１に記載の受信機。
【請求項１７】
システムであって、
データフレームを生成するように構成される送信機
を含み、前記送信機は、
命令を記憶するように構成されるメモリと、
プロセッサと
を含み、
前記プロセッサは、前記命令を実行すると、
第１の組のシンボル及び第２の組のシンボルを生成することであって、前記第１の組のシンボルにおける各シンボルは、第１の複数のサブキャリアを含み、前記第２の組のシンボルにおける各シンボルは、第２の複数のサブキャリアを含み、前記第１の組のシンボルは、前記第２の組のシンボルについての情報を含み、前記第１の複数のサブキャリアは、前記第２の複数のサブキャリアのサブセットである、生成することと、
第３の組のシンボル及び第４の組のシンボルを生成することであって、前記第３の組のシンボルにおける各シンボルは、第３の複数のサブキャリアを含み、前記第４の組のシンボルにおける各シンボルは、第４の複数のサブキャリアを含み、前記第３の組のシンボルは、前記第４の組のシンボルについての情報を含み、前記第３の複数のサブキャリアは、前記第４の複数のサブキャリアのサブセットである、生成することと、
前記第１の組のシンボル、前記第２の組のシンボル、前記第３の組のシンボル、及び前記第４の組のシンボルを含むデータフレームを生成することであって、前記データフレームの帯域幅は、前記第２の複数のサブキャリアを含む第１のセグメント及び前記第４の複数のサブキャリアを含む第２のセグメントを含む、生成することと
を行うように構成される、システム。
【請求項１８】
前記第１のセグメントの帯域幅は、前記第２のセグメントの帯域幅に等しい、請求項１７に記載のシステム。
【請求項１９】
前記第１のセグメントの帯域幅は、前記第２のセグメントの帯域幅と異なる、請求項１７に記載のシステム。
【請求項２０】
前記第１の組のシンボルに関連付けられた帯域幅は、１．１２２ＭＨｚ、２．２５６ＭＨｚ、及び４．５ＭＨｚからなる群から選択される、請求項１７に記載のシステム。
【請求項２１】
前記第１の組のシンボルのシンボルを生成するために、前記プロセッサは、
ルートインデックス値に基づいて定振幅零自己相関系列を生成することと、
シード値に基づいて疑似雑音系列を生成することと、
前記疑似雑音系列で前記定振幅零自己相関系列を変調して、複素系列を生成することと、
前記複素系列を時間領域系列に変換することと
を行うように構成される、請求項１７に記載のシステム。
【請求項２２】
前記定振幅零自己相関系列は、７５１個のサンプル又は３７３個のサンプルの長さを有する、請求項２１に記載のシステム。
【請求項２３】
前記プロセッサは、逆高速フーリエ変換（ＩＦＦＴ）を使用して前記複素系列を前記時間領域系列に変換するように構成される、請求項２１に記載のシステム。
【請求項２４】
前記第２の組のシンボルは、１つ又は複数のプリアンブルパイロット信号、エッジパイロット信号、散乱パイロット信号、及び連続パイロット信号を含む、請求項１７に記載のシステム。
【請求項２５】
前記プロセッサは、
第５の組のシンボル及び第６の組のシンボルを生成することであって、前記第５の組のシンボルにおける各シンボルは、第５の複数のサブキャリアを含み、前記第６の組のシンボルにおける各シンボルは、第６の複数のサブキャリアを含む、生成すること
を行うように更に構成され、
前記第５の組のシンボルは、前記第６の組のシンボルについての情報を含み、
前記第５の複数のサブキャリアは、前記第６の複数のサブキャリアのサブセットであり、
前記データフレームは、前記第５の組のシンボル及び前記第６の組のシンボルを更に含み、
前記データフレームの前記帯域幅は、前記第３の複数のサブキャリアを含む第３のセグメントを含む、請求項１７に記載のシステム。
【請求項２６】
前記データフレームの前記第２の組のシンボルを受信し復号するように構成される第１の受信機
を更に含む、請求項１７に記載のシステム。
【請求項２７】
前記プロセッサは、
第２のデータフレームを生成することと、
前記データフレーム及び前記第２のデータフレームを時間多重化することと
を行うように更に構成される、請求項１７に記載のシステム。
【請求項２８】
前記データフレームの前記第２の組のシンボルを受信し復号するように構成される第１の受信機と、
前記データフレームの前記第４の組のシンボルを受信し復号するように構成される第２の受信機と、
前記第２のデータフレームを受信し復号するように構成される第３の受信機と
を更に含む、請求項２７に記載のシステム。
【請求項２９】
プログラム命令を記憶するように構成されるメモリと、
プロセッサと
を含む送信機であって、
前記プロセッサは、前記プログラム命令を実行すると、
データフレームを生成することと、
前記データフレームを送信させることと
を行うように構成され、
前記データフレームは、第１の組の直交周波数領域多重化（ＯＦＤＭ）シンボル及び第２の組のＯＦＤＭシンボルを含み、前記第１の組のＯＦＤＭシンボル及び前記第２の組のＯＦＤＭシンボルにおける各ＯＦＤＭシンボルは、複数のサブキャリアを含み、
前記データフレーム内の各ＯＦＤＭシンボルは、複数のセグメントに分割され、前記複数のセグメントの各セグメントは、前記複数のサブキャリアのサブセットを含み、
前記第１の組のＯＦＤＭシンボルにおける第１のセグメントは、受信機における初期同期を容易にする前記第２の組のＯＦＤＭシンボルにおける対応する第１のセグメントについての情報を含み、
前記第２の組のＯＦＤＭシンボルの前記第１のセグメントは、少なくとも部分的に前記第１の組のＯＦＤＭシンボルの前記第１のセグメントに含まれる前記情報に基づいて、前記第２の組のＯＦＤＭシンボルの他のセグメントから独立して復号されるように構成される、送信機。
【請求項３０】
前記第１の組のシンボルの前記第１のセグメントを生成するために、前記プロセッサは、
ルートインデックス値に基づいて定振幅零自己相関系列を生成することであって、前記定振幅零自己相関系列は、７５１個のサンプル又は３７３個のサンプルの長さを有する、生成することと、
シード値に基づいて疑似雑音系列を生成することと、
前記疑似雑音系列で前記定振幅零自己相関系列を変調して、複素系列を生成することと、
逆高速フーリエ変換（ＩＦＦＴ）を使用して、前記複素系列を時間領域系列に変換することと
を行うように構成される、請求項２９に記載の送信機。
【発明の詳細な説明】
【技術分野】
【０００１】
分野
[0001]  本開示は、無線通信の分野に関し、より詳細には、ブロードキャストネットワークにおけるロバストな信号検出及びサービス発見を可能にするメカニズムに関する。
【背景技術】
【０００２】
背景
[0002]  ブロードキャストスペクトルは、異なる地理領域での様々な用途に向けて、異なる周波数に分割され、異なるブロードキャスターに割り振られる。スペクトルの周波数は、ブロードキャスターに認可されたライセンスに基づいて割り振られる。米国の連邦通信委員会（ＦＣＣ）等の規制エンティティからの割り振りに基づいて、ブロードキャスターは、特定の地理半径内で特定の周波数で、テレビジョン信号等の特定のタイプの無線周波（ＲＦ）波形を使用して特定のタイプのコンテンツをブロードキャストすることに制限され得る。割り振られたスペクトル外でのブロードキャストは、ブロードキャスターの違反であり得る。ブロードキャスターは、その地理半径内で別のタイプのＲＦ波形を使用して別のタイプのコンテンツを送信したい場合、追加のスペクトルライセンスを取得する必要があり得、そして、規制エンティティからその周波数内の追加の周波数を割り振られる必要があり得る。同様に、ブロードキャスターは、別の地理半径内でコンテンツを送信したい場合、その領域用に追加のスペクトルライセンスを取得する必要があり得る。しかしながら、追加のスペクトルライセンスの取得は、困難であり得、時間がかかり得、高価であり得、非実際的であり得る。加えて、ブロードキャスターは、ライセンスが認可されたスペクトルの全部分を常に完全には利用していないことがある。これは、ブロードキャストスペクトルの利用に非効率性を生み出し得る。
【０００３】
[0003]  更に、ブロードキャストスペクトルの予期される使用は変化し得る。例えば、現在のブロードキャストテレビジョン解決策は、モノリシックであり、主に１つのサービスに向けて設計されている。しかしながら、ブロードキャスターは、モバイルブロードキャスト及びＩｏＴサービスを含め、将来、従来のブロードキャストテレビジョンに加えて、異なるＲＦ波形を使用して複数の無線ベースタイプのコンテンツを提供することを予期し得る。特に、多数のデバイスが全て、ブロードキャストテレビジョンを超えて共通ソースからの同一データの受信を望み得る多くの状況がある。そのような一例は、モバイル通信サービスであり、このサービスでは、様々な地理ロケーションにおける多数のモバイル通信デバイスが全て、例えば、ソフトウェア更新又は緊急アラート等の同じコンテンツを搬送する共通のブロードキャスト信号を受信する必要があり得る。そのような状況では、同じデータをポイントツーポイントで各デバイスに個々にシグナリングし送信するのではなく、そのようなデバイスにデータをブロードキャスト又はマルチキャストするほうがはるかに効率的である。したがって、ハイブリッド解決策が望ましいことがある。
【発明の概要】
【０００４】
[0004]  ブロードキャストスペクトルをより効率的に利用するために、異なるタイプのコンテンツを１つのＲＦチャネル内で一緒に時間多重化し得る。
【０００５】
[0005]  加えて、異なる品質レベル（例えば、高精細ビデオ、標準精細ビデオ等）を有するコンテンツは、異なる伝播チャネル特性及び異なる受信環境を有する異なるデバイスグループに送信する必要があり得る。他の状況では、デバイス固有のデータを特定のデバイスに送信することが望ましいことがあり、そのデータの符号化及び送信に使用されるパラメータは、デバイスのロケーション及び／又は伝播チャネル状況に依存し得る。
【０００６】
[0006]  同時に、高速無線データへの需要は高まり続けており、潜在的に時変ベースで利用可能な無線リソース（無線スペクトルの特定の部分等）を可能な限り効率的に利用することが望ましい。
【０００７】
開示の概要
[0007]  例えば、狭帯域受信及び複雑性のより低い／節電デバイスのために、１つ又は複数の帯域セグメント化ブートストラップ信号及び１つ又は複数の対応する区分化ブートストラップ後信号を生成、送信、受信、及び復号するシステム、装置、及び方法が提供される。幾つかの例示的な実施形態によれば、本開示のシステム及び方法は、狭帯域受信及び複雑性の低い／節電デバイスをターゲットとすることができる。これらのデバイスは、インターネット・オブ・シングス（ＩｏＴ）、ウェアラブルデバイス、センサネットワーク等を含むことができる。
【０００８】
[0008]  一実施形態によれば、プログラム命令を記憶するように構成されるメモリと、プロセッサとを含む送信機が提供される。プロセッサは、プログラム命令を実行すると、第１の組のシンボル及び第２の組のシンボルを生成するように構成される。第１の組のシンボルにおける各シンボルは、第１の複数のサブキャリアを含み、第２の組のシンボルにおける各シンボルは、第２の複数のサブキャリアを含み、第１の組のシンボルは、第２の組のシンボルについての情報を含む。第１の複数のサブキャリアは、第２の複数のサブキャリアのサブセットである。プロセッサは、第３の組のシンボル及び第４の組のシンボルを生成するように更に構成される。第３の組のシンボルにおける各シンボルは、第３の複数のサブキャリアを含み、第４の組のシンボルにおける各シンボルは、第４の複数のサブキャリアを含み、第３の組のシンボルは、第４の組のシンボルについての情報を含む。第３の複数のサブキャリアは、第４の複数のサブキャリアのサブセットである。プロセッサは、第１の組のシンボル、第２の組のシンボル、第３の組のシンボル、及び第４の組のシンボルを含むデータフレームを生成するようにも構成される。データフレームの帯域幅は、第２の複数のサブキャリアを含む第１のセグメント及び第４の複数のサブキャリアを含む第２のセグメントを含む。
【０００９】
[0009]  別の実施形態によれば、データフレームを受信するように構成されるアンテナを含む受信機が提供される。データフレームは、第１の組のシンボル及び第２の組のシンボルを含む。第１の組のシンボルにおける各シンボルは、第１の複数のサブキャリアを含み、第２の組のシンボルにおける各シンボルは、第２の複数のサブキャリアを含み、第１の組のシンボルは、第２の組のシンボルについての情報を含み、第１の組のシンボルは、受信機における初期同期を容易にする。第１の複数のサブキャリアは、第２の複数のサブキャリアのサブセットである。データフレームは、第３の組のシンボル及び第４の組のシンボルを更に含む。第３の組のシンボルにおける各シンボルは、第３の複数のサブキャリアを含み、第４の組のシンボルにおける各シンボルは、第４の複数のサブキャリアを含み、第３の組のシンボルは、第４の組のシンボルについての情報を含み、第３の組のシンボルは、受信機における初期同期を容易にする。第３の複数のサブキャリアは、第４の複数のサブキャリアのサブセットである。データフレームの帯域幅は、第２の複数のサブキャリアを含む第１のセグメント及び第２の複数のサブキャリアを含む第４のセグメントを含む。受信機は、第１の組のシンボルを含むデータフレームの帯域幅の第１のセグメントを選択するように構成されるフィルタを更に含む。
【００１０】
[0010]  別の実施形態によれば、データフレームを生成するように構成される送信機を含むシステムが提供される。送信機は、プログラム命令を記憶するように構成されるメモリと、プロセッサとを含む。プロセッサは、プログラム命令を実行すると、第１の組のシンボル及び第２の組のシンボルを生成するように構成される。第１の組のシンボルにおける各シンボルは、第１の複数のサブキャリアを含み、第２の組のシンボルにおける各シンボルは、第２の複数のサブキャリアを含み、第１の組のシンボルは、第２の組のシンボルについての情報を含む。第１の複数のサブキャリアは、第２の複数のサブキャリアのサブセットである。プロセッサは、第３の組のシンボル及び第４の組のシンボルを生成するように更に構成される。第３の組のシンボルにおける各シンボルは、第３の複数のサブキャリアを含み、第４の組のシンボルにおける各シンボルは、第４の複数のサブキャリアを含み、第３の組のシンボルは、第４の組のシンボルについての情報を含む。第３の複数のサブキャリアは、第４の複数のサブキャリアのサブセットである。プロセッサは、第１の組のシンボル、第２の組のシンボル、第３の組のシンボル、及び第４の組のシンボルを含むデータフレームを生成するようにも構成される。データフレームの帯域幅は、第２の複数のサブキャリアを含む第１のセグメント及び第４の複数のサブキャリアを含む第２のセグメントを含む。
【００１１】
[0011]  別の実施形態によれば、プログラム命令を記憶するように構成されるメモリと、プロセッサとを含む送信機が提供される。プロセッサは、プログラム命令を実行すると、データフレームを生成することと、データフレームを送信させることとを行うように構成される。データフレームは、第１の組の直交周波数領域多重化（ＯＦＤＭ）シンボル及び第２の組のＯＦＤＭシンボルを含み、第１の組のＯＦＤＭシンボル及び第２の組のＯＦＤＭシンボルにおける各ＯＦＤＭシンボルは、複数のサブキャリアを含む。データフレーム内の各ＯＦＤＭシンボルは、複数のセグメントに分割され、複数のセグメントの各セグメントは、複数のサブキャリアのサブセットを含む。第１の組のＯＦＤＭシンボルにおける第１のセグメントは、受信機における初期同期を容易にする第２の組のＯＦＤＭシンボルにおける対応する第１のセグメントについての情報を含む。第２の組のＯＦＤＭシンボルの第１のセグメントは、少なくとも部分的に第１の組のＯＦＤＭシンボルの第１のセグメントに含まれる情報に基づいて、第２の組のＯＦＤＭシンボルの他のセグメントから独立して復号されるように構成される。
【００１２】
[0012]  本開示の更なる特徴及び利点並びに本開示の様々な実施形態の構造及び動作は、添付図面を参照して以下に詳細に説明される。なお、本開示は、本明細書に記載される特定の実施形態に限定されない。そのような実施形態は、本明細書において、例示のみを目的として提示される。本明細書に含まれる教示に基づいて、追加の実施形態が当業者には明白である。
【００１３】
図面の簡単な説明
[0013]  添付図面は、本明細書に組み込まれ、本明細書の一部をなし、説明と共に本開示を示し、更に、本開示の原理を説明し、当業者が本開示を作製し使用できるようにする役割を果たす。
【図面の簡単な説明】
【００１４】
【図１】[0014]  本開示の一実施形態による例示的なブロードキャストネットワーク通信システムを示す。
【図２Ａ】[0015]  本開示の幾つかの実施形態による、ブートストラップ信号又は帯域セグメント化ブートストラップ信号を生成するシステムを示す。
【図２Ｂ】[0016]  本開示の幾つかの実施形態による例示的なＰＮ系列生成器を示す。
【図２Ｃ】[0017]  本開示の幾つかの実施形態による、複数のブートストラップ信号及び／又は複数の帯域セグメント化ブートストラップ信号を含むことができるデータフレームを生成するシステムを示す。
【図２Ｄ】[0018]  本開示の幾つかの実施形態による、ブートストラップ後信号及び／又は区分化ブートストラップ後信号を生成するシステムを示す。
【図３】[0019]  本開示の一実施形態による信号を示す。
【図４Ａ】[0020]  本開示の幾つかの実施形態による信号を示す。
【図４Ｂ】[0020]  本開示の幾つかの実施形態による信号を示す。
【図４Ｃ】[0020]  本開示の幾つかの実施形態による信号を示す。
【図５】[0021]  本開示の一実施形態による、周波数領域系列をサブキャリアにマッピングする例示である。
【図６Ａ】[0022]  本開示の一実施形態による、周波数領域系列をサブキャリアにマッピングする例示である。
【図６Ｂ】[0022]  本開示の一実施形態による、周波数領域系列をサブキャリアにマッピングする例示である。
【図７】[0023]  本開示の一実施形態による方法を示すフローチャートである。
【図８Ａ】[0024]  本開示の幾つかの実施形態による、帯域セグメント化ブートストラップ受信機での受信信号の例示的な時間領域データ構造を示す。
【図８Ｂ】[0024]  本開示の幾つかの実施形態による、帯域セグメント化ブートストラップ受信機での受信信号の例示的な時間領域データ構造を示す。
【図９Ａ】[0025]  本開示の幾つかの実施形態による、信号が時間領域に変換される前の帯域セグメント化ブートストラップ信号及び区分化ブートストラップ後信号のセグメントを含む信号を示す。
【図９Ｂ】[0025]  本開示の幾つかの実施形態による、信号が時間領域に変換される前の帯域セグメント化ブートストラップ信号及び区分化ブートストラップ後信号のセグメントを含む信号を示す。
【図９Ｃ】[0025]  本開示の幾つかの実施形態による、信号が時間領域に変換される前の帯域セグメント化ブートストラップ信号及び区分化ブートストラップ後信号のセグメントを含む信号を示す。
【図９Ｄ】[0025]  本開示の幾つかの実施形態による、信号が時間領域に変換される前の帯域セグメント化ブートストラップ信号及び区分化ブートストラップ後信号のセグメントを含む信号を示す。
【図９Ｅ】[0025]  本開示の幾つかの実施形態による、信号が時間領域に変換される前の帯域セグメント化ブートストラップ信号及び区分化ブートストラップ後信号のセグメントを含む信号を示す。
【図１０】[0026]  本開示の幾つかの実施形態による、複数のデータフレームを含む信号を示す。
【図１１】[0027]  本開示の一実施形態による例示的な受信機デバイスを示す。
【図１２Ａ】[0028]  本開示の幾つかの実施形態による方法を示すフローチャートである。
【図１２Ｂ】[0028]  本開示の幾つかの実施形態による方法を示すフローチャートである。
【図１２Ｃ】[0028]  本開示の幾つかの実施形態による方法を示すフローチャートである。
【図１３】[0029]  本開示の１つ又は複数の実施形態の実施に利用することができるコンピュータシステムを示す。
【発明を実施するための形態】
【００１５】
[0030]  これより、本開示について添付図面を参照して説明する。図面中、一般に、同様の参照符号は同一又は機能的に同様の要素を示す。更に、一般に、参照番号の左端の桁は、その参照番号が最初に出現した図面を識別する。
【００１６】
詳細な説明
[0031]  本開示の以下の詳細な説明は、本開示による例示的な実施形態を示す添付図面を参照する。他の実施形態も可能であり、本開示の趣旨及び範囲内で、変更を実施形態に対して行うことができる。したがって、詳細な説明は本開示の限定を意味しない。更に、本発明の範囲は添付の特許請求の範囲によって規定される。
【００１７】
[0032]  後述される本開示の態様が、ソフトウェア、ハードウェア、ファームウェア、及び／又は図に示されるエンティティの多くの異なる実施形態で実施可能なことが当業者には明かである。本開示を実施する、ハードウェアの専用制御下での任意の実際のソフトウェアコードは、本開示の限定ではない。したがって、本開示の動作挙動は、本明細書に提示される詳細のレベルを所与として、実施形態の変更及び変形が可能であるとの理解をもって説明される。
【００１８】
[0033]  本明細書は、本開示の特徴を組み込んだ１つ又は複数の実施形態を開示する。開示される実施形態は単に、本開示を例示する。本開示の範囲は、開示される実施形態に限定されない。更に、本発明は、本明細書に添付される特許請求の範囲によって規定される。
【００１９】
[0034]  記載される実施形態及び「一実施形態」、「実施形態」、「実施形態例」等への本明細書での言及は、記載された実施形態が特定の特徴、構造、又は特性を含み得るが、あらゆる実施形態が必ずしも、その特定の特徴、構造、又は特性を含むわけではないことを意味する。更に、そのような語句は必ずしも同じ実施形態を参照しているわけではない。更に、一実施形態に関連して特定の特徴、構造、又は特性が記載される場合、明示的に記載されるか否かに関係なく、他の実施形態に関連してそのような特徴、構造、又は特性を行うことが、当業者の知識内にあることが理解される。
【００２０】
[0035]  本開示の実施形態は、ハードウェア、ファームウェア、ソフトウェア、又はそれらの任意の組合せで実施し得る。本開示の実施形態は、１つ又は複数のプロセッサにより読み出され実行し得る機械可読媒体に記憶された命令として実施することもできる。機械可読媒体は、機械（例えば、計算デバイス）により可読の形態で情報を記憶又は伝送する任意のメカニズムを含み得る。例えば、機械可読媒体は、読み取り専用メモリ（ＲＯＭ）、ランダムアクセスメモリ（ＲＡＭ）、磁気ディスク記憶媒体、光学記憶媒体、フラッシュメモリデバイス、電気、光学、音響、又は他の形態の伝播信号（例えば、搬送波、赤外線信号、デジタル信号等）等を含み得る。更に、ファームウェア、ソフトウェア、ルーチン、命令は、本明細書では、特定の動作を実行するものとして説明され得る。しかしながら、そのような説明が単に便宜上のものであり、そのような動作が実際には、計算デバイス、プロセッサ、コントローラ、又はファームウェア、ソフトウェア、ルーチン、命令等を実行する他のデバイスから生じるものであることを理解されたい。
【００２１】
[0036]  例示的な実施形態の以下の詳細な説明は、当業者の知識を適用することにより、過度の実験なしで、本開示の趣旨及び範囲から逸脱せずに、そのような例示的な実施形態を容易に変更及び／又は様々な用途に向けて適合させることができる、本開示の一般資質を完全に明らかにする。したがって、そのような適合及び変更は、本明細書に提示される教示及び指針に基づいて、例示的な実施形態の意味及び複数の均等物内にあるものである。本明細書での表現又は用語が、本明細書における教示に鑑みて当業者により解釈されるべきであるように、限定ではなく説明を目的とすることを理解されたい。
【００２２】
[0037]  本明細書及び特許請求の範囲におけるモジュールの言及は、示された機能を実行するハードウェア構成要素又はソフトウェア構成要素の任意の組合せを意味する。モジュールは、厳密に定義されたエンティティである必要はなく、したがって、幾つかのモジュールは機能的にハードウェア構成要素及びソフトウェア構成要素に重複することができる。例えば、ソフトウェアモジュールは、プロシージャ内の１行のコードを指すことができ、プロシージャ自体は別個のソフトウェアモジュールである。モジュールの機能が、例えば、幾つかの様式的又は性能最適化技法に従って定義することができることを当業者は理解する。
【００２３】
[0038]  ロバストで拡張性のあるシグナリング、ロバストな検出及びサービス発見、システム同期、及び受信機構成のシステム及び方法は、米国特許出願公開第２０１６−０２６９９８０号に考察されており、この特許出願を全体的に参照により本明細書に援用する。例えば、ブートストラップ信号は、同期と、続く波形の復号を開始するために、低レベルシグナリングを介して発せられた波形を発見するシグナリングについて米国特許出願公開第２０１６−０２６９９８０号に開示されている。ブートストラップ信号は、経時進化する拡張性を提供する。例えば、ブートストラップ信号は、現在のブロードキャストシステムに対して機能することができるが、新しいサービスのサポートも可能である。米国特許出願公開第２０１６／００４３８３０号（Dynamic Configuration of a Flexible Orthogonal Frequency Division Multiplexing PHY Transport Data Frame）及び同第２０１６／００５６９１０号（Dynamic Configuration of a Flexible Orthogonal Frequency Division Multiplexing PHY Transport Data Frame Preamble）も全体的に、参照により本明細書に援用される。
【００２４】
[0039]  本明細書に記載される実施形態の幾つかは、ブートストラップ信号及びブートストラップ信号に続くことができフレームの改善及び適用である。幾つかの例示的な実施形態によれば、本開示のシステム及び方法は、受信デバイスについて狭帯域受信及び低複雑性／節電を標的とすることができる。これは、狭帯域受信デバイスが、そのような目的で構築された広帯域幅送信信号の複数のより小さなブートストラップ区分の１つからコンテンツを同期し、発見し、受信するように調整できるようにする技法を使用して、広帯域幅送信信号を構築することによって可能になる。これらのデバイスは、インターネット・オブ・シングス（ＩｏＴ）、ウェアラブルデバイス、センサネットワーク等を含むことができる。幾つかの例では、本開示のシステム及び方法は、ＡＴＳＣ（Advanced Television Systems Committee）３．０規格Ａ／３２１、システム発見及びシグナリング（System Discovery and Signaling）（２０１６年３月２３日承認）と互換性を有することができ、これらは全体的に本明細書に参照により援用される。本開示のシステム及び方法は、Ａ／３２１規格の１つ又は複数の技術属性を維持しながら、Ａ／３２１規格の１つ又は複数の設計パラメータをスケーリングすることができる。
【００２５】
[0040]  柔軟性があり拡張可能な新しいＲＦ波形が、ＡＴＳＣ３．０と呼ばれる新しい規格の形態でＡＴＳＣによって開発された。ＡＴＳＣ３．０における潜在的な複数の波形タイプは、ブートストラップ信号と呼ばれる小さく普遍的なＡ／３２１信号から始まる。ブートストラップは、初期同期及びＲＦ波形を受信するための波形のタイプ及び必要とされる低レベルシグナリングの発見を可能にし、ブートストラップに直後に続く内容は、ブートストラップ後信号と呼ばれる。このブートストラップ信号は、ＡＴＳＣ３．０においてＡ／３２１として採用され、米国特許出願公開第２０１６−０２６９９８０号によって指定され、ここで、同期、狭帯域幅受信の発見及びシグナリング、並びに電池給電受信機によるエネルギー節減を可能にすることをサポートするように本願においてスケーリング又は適合される。ＡＴＳＣ３．０は、６ＭＨｚ、７ＭＨｚ、８ＭＨｚの帯域幅のみをサポートする。一例として、６ＭＨｚ帯域幅チャネルは、６ＭＨｚ内の５つの独立した狭帯域幅チャネルにセグメント化し区分化することができる。電池給電デバイスをターゲットとした特定のＲＦ波形及びサービスを有するそれぞれ。ブロードキャスターはそれもなお、それぞれにブートストラップ信号が前置される異なるＲＦ波形を時間多重化することにより、従来の全帯域幅テレビジョンサービス及び狭帯域幅サービスを提供することができる。
【００２６】
[0041]  より詳細に後述するように、１つ又は複数のパラメータをスケーリングすることにより、本開示のシステム及び方法は、幾つかの実施形態により、チャネルにおける分割帯域幅受信を可能にするように構成される。幾つかの実施形態によれば、受信機の同期及びシグナリングは、分割受信をサポートすることができる。更に、本開示のシステム及び方法は、複雑性の低い受信、低サンプリングレート、より小さな高速フーリエ変換（ＦＦＴ）サイズ、及び帯域幅セグメント化を生成することができる。また、より詳細に後述するように、本開示のシステム及び方法は、１つ又は複数の独立した帯域セグメント化ブートストラップ信号及び１つ又は複数の対応する独立した区分化ブートストラップ後信号をサポートすることができる。幾つかの実施形態によれば、帯域幅を分割することにより、別個の低帯域幅チャネル（区分）は、共通の逆ＦＦＴ（ＩＦＦＴ）ステージを共有することができる。幾つかの実施形態では、区分化された帯域幅を有する１つ又は複数のフレームは、区分化されないフレームと時間多重化されて、異なるデバイスをターゲットとすることができる。
【００２７】
[0042]  図１は、本開示の一実施形態による例示的なブロードキャストネットワーク通信システムを示す。ブロードキャストネットワーク通信システム１００は、ブロードキャストネットワーク１０６を介して様々なタイプのコンテンツ１０４Ａ、１０４Ｂ、及び１０４Ｃ（以下、コンテンツ１０４）を提供する複数のコンテンツプロバイダ１０２Ａ、１０２Ｂ、及び１０２Ｃ（以下、コンテンツプロバイダ１０２）を含むことができる。３つのコンテンツプロバイダ１０２が示されるが、ブロードキャストネットワーク通信システム１００は、任意の適する数のコンテンツプロバイダ１０２を含むことができる。加えて、コンテンツプロバイダ１０２は、テレビジョンブロードキャスト信号、ソフトウェア更新、緊急アラート等の任意の適するタイプのコンテンツのプロバイダであることができる。コンテンツプロバイダ１０２は、ゲートウェイ１０８への無線又は有線接続のいずれかを介してコンテンツ１０４を提供するように構成することができる。
【００２８】
[0043]  幾つかの実施形態によれば、コンテンツ１０４は、ゲートウェイ１０８において、１つのＲＦチャネル１１０に時間多重化することができる。ブロードキャスト受信機１１２Ａ、１１２Ｂ、１１２Ｃ、及び１１２Ｄ（以下、ブロードキャスト受信機１１２）は、ＲＦチャネル１１０を介してブロードキャスト信号１１４を識別し受信するように構成される。４つの異なるタイプのブロードキャスト受信機１１２が示される（ラップトップコンピュータ１１２Ａ、モバイル電話１１２Ｂ、テレビジョン１１２Ｃ、及びＩｏＴ  １１２Ｄ）が、システム１００は、限定ではなく、ウェアラブルデバイス、センサネットワーク等の任意の適する数及びタイプのブロードキャスト受信機１１２を含むことができる。
【００２９】
[0044]  幾つかの実施形態によれば、ゲートウェイ１０８は、単独で又はブロードキャストネットワーク１０６における送信機と組み合わせて、１つ又は複数のブートストラップ信号及び１つ又は複数の対応するブートストラップ後信号を生成し、送信するように構成することができる。追加又は代替として、ゲートウェイ１０８は、単独で又はブロードキャストネットワーク１０６における送信機と組み合わせて、１つ又は複数の帯域セグメント化ブートストラップ信号及び１つ又は複数の対応する区分化ブートストラップ後信号を生成し、送信するように構成することができる。幾つかの実施形態によれば、ブートストラップ信号（図示せず）及び／又は帯域セグメント化ブートストラップ信号（図示せず）は、低レベルで、特定の時間期間中に送信されている信号１１４のタイプ又は形態を示すことができる。ブートストラップ信号及び／又は帯域セグメント化ブートストラップ信号を使用して、ブロードキャスト受信機１１２は、信号１１４を発見し識別することができ、信号１１４は、信号１１４を介して利用可能なサービスの受信方法を示すことができる。
【００３０】
[0045]  この例では、送信の一環として、同期、検出、復号、及び／又はシステム構成を可能にするために、ブートストラップ信号、帯域セグメント化ブートストラップ信号、又はそれらの組合せに頼ることができる。説明するように、ブートストラップ信号又は帯域セグメント化ブートストラップ信号は、フレーム構成及びコンテンツ制御情報をブートストラップ受信機１１２に搬送する柔軟性のあるシグナリング手法を含むことができる。ブートストラップ信号又は帯域セグメント化ブートストラップ信号は、信号パラメータが物理的媒体で変調されるメカニズムを記述する。ブートストラップ信号又は帯域セグメント化ブートストラップ信号は、送信フレーム構成を支配するパラメータ選択を通信するのに使用される特定の符号化を記述する。これにより、共通のフレーム構造からシグナリングを進化させるニーズに対応する拡張性を提供しながら、確実なサービス発見が可能になる。特に、ブートストラップの設計は、チャネル帯域幅から独立した普遍的な信号発見を可能にする。
【００３１】
[0046]  ブートストラップ信号又は帯域セグメント化ブートストラップ信号はまた、時間分散及びマルチパスフェージング、ドップラーシフト、及び搬送周波数オフセット等の様々なチャネル障害の存在を確実に検出できるようにする。加えて、信号発見中のモード検出に基づいて、複数のサービスコンテキストにアクセス可能であり、システム構成での幅広い柔軟性を可能にする。ブートストラップ信号又は帯域セグメント化ブートストラップ信号はまた、サービス機能の現在進行中の進化に対応する拡張性を促進する。したがって、ブートストラップ信号、帯域セグメント化ブートストラップ信号、又はそれらの組合せの使用を通して、まだ考え出されていない新しい信号タイプをコンテンツプロバイダ１０２により提供することができ、送信信号１１４内で識別することができる。更に、検出されたサービスモード／タイプに基づいて解釈される再使用可能なビットフィールドにより、提供される拡張性のレベルに拘わらず、ビット効率シグナリングを可能にする。一実施形態では、ブートストラップ信号及び帯域セグメント化ブートストラップ信号は、ロバストな信号で、低信号レベルであっても検出可能であるように構成される。その結果、ブートストラップ信号及び／又は帯域セグメント化ブートストラップ信号内の個々のシグナリングビットは、送信のために占める物理的リソースの点で比較的高価であることができる。したがって、ブートストラップ信号、帯域セグメント化ブートストラップ信号、又はそれらの組合せは、システム発見及び後続信号の初期復号に必要な最小量のみの情報をシグナリングすることを意図することができる。
【００３２】
[0047]  図２Ａは、本開示の幾つかの実施形態による、ブートストラップ信号、帯域セグメント化ブートストラップ信号、又はそれらの組合せを生成するシステムを示す。本明細書では、ブートストラップ信号及び／又は帯域セグメント化ブートストラップ信号とは、別段のことが指定される場合を除き、ブートストラップ信号、帯域セグメント化ブートストラップ信号、又はそれらの組合せを意味する。システム２００は、送信機において、ブートストラップ信号及び／又は帯域セグメント化ブートストラップ信号を生成し送信するように構成することができる。例えば、システム２００は、ブートストラップ信号又は帯域セグメント化ブートストラップ信号２０１を生成するように構成することができる。幾つかの実施形態によれば、ブートストラップ信号又は帯域セグメント化ブートストラップ信号２０１は、複数のシンボル−シンボル＃０〜シンボル＃Ｎを含むことができる。ブートストラップ信号又は帯域セグメント化ブートストラップ信号２０１の複数のシンボルは、幾つかの実施形態によれば、直交周波数分割多重化（ＯＦＤＭ）シンボルを含むことができる。ブートストラップ信号又は帯域セグメント化ブートストラップ信号２０１の後、ブートストラップ後信号又は区分化ブートストラップ後信号２０３が続くことができる。ブートストラップ後信号又は区分化ブートストラップ後信号２０３は、ブートストラップ信号又は帯域セグメント化ブートストラップ信号２０１によってシグナリングされ、受信機１１２等の受信機によって使用されるサービス及び／又はデータを表すことができる。幾つかの実施形態によれば、ブートストラップ後信号又は区分化ブートストラップ後信号２０３はＯＦＤＭシンボルを含むことができる。
【００３３】
[0048]  幾つかの実施形態によれば、システム２００は系列生成器２０６を含むことができる。系列生成器２０６は、疑似雑音（ＰＮ）モジュール又は系列生成器２０５及びZadoff-Chu（ＺＣ）モジュール、又は系列生成器２０７を含むことができる。ＰＮ系列生成器２０５は、シード値を受信し、出力系列を生成するように構成することができる。ＺＣ系列生成器２０７は、ルート値を受信し、出力系列を生成するように構成することができる。ＰＮ系列生成器２０５のシード値及びＺＣ系列生成器２０７のルート値は、ブートストラップ信号又は帯域セグメント化ブートストラップ信号２０１のメジャーバージョン及びマイナーバージョン（それぞれ）をシグナリングすることができる。幾つかの実施形態によれば、ＺＣ系列生成器２０７の出力系列は、電波信号に適用される場合、定振幅信号を生成することができる複素値数学系列を含むことができる。
【００３４】
[0049]  ＺＣ系列生成器２０７の出力系列は、以下の式に基づいて計算することができる。
[0050]  
【数１】
2019533402.tif 000003
【００３５】
[0051]  この式中、Ｚｑ（ｋ）は、ＺＣ系列生成器２０７の出力系列である。値ｑは、ＺＣ系列生成器２０７のルート値であり、ここで、ｑ∈｛１，２，・・・、ＮＺＣ−１｝である。ＮＺＣは、ＺＣ系列生成器２０７の出力系列の長さである。そして、ｋ＝０，１，２，・・・，ＮＺＣ−１である。
【００３６】
[0052]  幾つかの実施形態によれば、システム２００は、シグナリング情報を受信し、シグナリング情報に基づいて巡回シフトを適用するように構成される巡回シフトモジュール２１７を含むこともできる。幾つかの実施形態によれば、巡回シフトモジュール２１７は、周波数領域での巡回シフトをＺＣ系列生成器２０７に適用するように構成することができ、これは、ＺＣ系列生成器２０７の出力系列の生成に使用される。幾つかの実施形態によれば、巡回シフトは、ブートストラップ信号又は帯域セグメント化ブートストラップ信号２０１のシンボル＃１〜＃Ｎに適用される。この例では、巡回シフトは、ブートストラップ信号又は帯域セグメント化ブートストラップ信号２０１の最初のシンボル（シンボル＃０）には適用されない。周波数領域において、巡回シフトモジュール２１７は、ＺＣ系列生成器２０７への位相シフトとして巡回シフトを適用する。例えば、巡回シフトがブートストラップ信号又は帯域セグメント化ブートストラップ信号２０１のシンボル＃１〜＃Ｎに適用される場合、上記式（１）は以下のように変更される。
[0053]  
【数２】
2019533402.tif 000004
【００３７】
[0054]  ここで、式（２）中、ｍの値は、周波数領域において割り当てられた巡回位相シフトを表す。周波数領域におけるこのシフトは、ＩＦＦＴモジュール２２１後、自己相関の時間遅延に変換することができる。
【００３８】
[0055]  追加又は代替として、巡回シフトモジュール２１７は、より詳細に後述するように、時間領域における巡回シフトをＩＦＦＴモジュール２２１の出力に適用するように構成することができる。
【００３９】
[0056]  ＰＮ系列生成器２０５及びＺＣ系列生成器２０７の出力系列は、変調器２０９を使用して変調される。幾つかの実施形態によれば、変調器２０９は、ＰＮ系列生成器２０５及びＺＣ系列生成器２０７の出力系列を乗算するように構成される乗算器を含むことができる。追加又は代替として、変調器２０９は、ＰＮ系列生成器２０５及びＺＣ系列生成器２０７の出力系列から導出される系列を乗算するように構成される乗算器を含むことができる。
【００４０】
[0057]  ＰＮ系列生成器２０５の出力系列は、個々の複素サブキャリアに位相回転を導入して、ＺＣ系列生成器２０７の出力系列の所望の定振幅零自己相関（ＣＡＺＡＣ）特性を維持する。ＰＮ系列生成器２０５の出力系列は更に、自己相関応答におけるスプリアス発射を抑制し、それにより、同じルート系列の巡回シフト間に追加の信号分離を提供する。変調器２０９の出力は、マッピングモジュール２１９に入力される。マッピングモジュール２１９は、ＰＮ系列生成器２０５及びＺＣ系列生成器２０７の出力系列の変調である変調系列を複数のサブキャリアにマッピングするように構成することができる。更に、マッピングモジュール２１９は、幾つかの実施形態により、帯域セグメント化ブートストラップ信号のセグメントにゼロパディングを追加するように構成することができる。ゼロパディングが追加されると、ゼロの値が帯域セグメント化ブートストラップ信号の各セグメント内の外サブキャリア（outer subcarrier）にマッピングされる。ゼロパディングに使用されるサブキャリア数は、帯域セグメント化ブートストラップ信号の各セグメントの帯域幅、セグメントの総数、及び帯域セグメント化ブートストラップ信号総帯域幅に依存することができる。マッピングモジュール２１９の動作について更に以下に考察する。
【００４１】
[0058]  マッピングモジュール２１９の出力は、ＩＦＦＴモジュール２２１に入力され、周波数領域から時間領域に変換される。ＩＦＦＴモジュール２２１の出力は、シーケンサモジュール２２３に入力される。幾つかの実施形態によれば、ＩＦＦＴモジュール２２１の出力は「Ａ」と呼ばれ、そしてこれは、「Ｂ」及び「Ｃ」として既知の、「Ａ」から導出されるプリフィックスセクション及びポストフィックスセクションを有することができる。幾つかの実施形態では、シンボル＃０は時間系列「ＣＡＢ」を有することができ、一方、他の全てのシンボルは時間系列「ＢＣＡ」を有することができる。シーケンサモジュール２２３の動作についてより詳細に後述する。シーケンサモジュール２２３の動作は、ロバスト性及び弁別シンボル＃０を追加することができ、このシンボルは同期及びバージョニングに使用することができる。シーケンサモジュール２２３の出力は、ブートストラップ信号又は帯域セグメント化ブートストラップ信号２０１を含む。
【００４２】
[0059]  幾つかの実施形態によれば、ブートストラップ信号又は帯域セグメント化ブートストラップ信号２０１は、各波形の冒頭に位置する同期シンボル＃０で始まり、サービス発見、粗い同期、周波数オフセット推定、及び初期チャネル推定を可能にする。残りのブートストラップ信号又は帯域セグメント化ブートストラップ信号２０１は、信号波形１１４の残りの部分（例えば、ブートストラップ後信号又は帯域セグメント化ブートストラップ後信号２０３）の受信及び復号に十分な制御シグナリングを含むことができる。
【００４３】
[0060]  ブートストラップ信号又は帯域セグメント化ブートストラップ信号２０１は、柔軟性、スケーラビリティ、及び拡張性を示すように構成される。例えば、ブートストラップ信号又は帯域セグメント化ブートストラップ信号２０１は、柔軟性を上げるためにバージョニングを実施することができる。特に、ブートストラップ信号又は帯域セグメント化ブートストラップ信号２０１の設計は、メジャーバージョン番号（特定のサービスタイプ又はモードに対応する）及びマイナーバージョン（特定のメジャーバージョン内）を可能にすることができる。一実施形態では、バージョニングは、ブートストラップ信号又は帯域セグメント化ブートストラップ信号２０１の符号化基本系列の生成に使用されるZadoff-Chuルート（メジャーバージョン）、疑似雑音系列シード（マイナーバージョン）の適宜選択を介してシグナリングすることができる。ブートストラップ信号又は帯域セグメント化ブートストラップ信号２０１内のシグナリングフィールドの復号は、検出されたサービスバージョンに関して実行することができ、割り当てられた各ビットフィールドが再使用可能であり、示されたサービスバージョンに基づいて構成される階層シグナリングを可能にする。ブートストラップ信号又は帯域セグメント化ブートストラップ信号２０１内のシグナリングフィールドのシンタックス及びセマンティクスは、例えば、メジャー及びマイナーバージョンが参照する規格内で指定することができる。
【００４４】
[0061]  図２Ｂは、本開示の幾つかの実施形態による例示的なＰＮ系列生成器２０５を示す。例えば、ＰＮ系列生成器２０５は、線形フィードバックシフトレジスタ（ＬＦＳＲ）を含むことができる。幾つかの実施形態によれば、ＬＦＳＲは長さ（次数）ｌ＝１６を有することができる。しかしながら、ＬＦＳＲは他の長さを含むこともできる。ＬＦＳＲの動作は、ＬＦＳＲフィードバックパスにおけるタップを指定する生成器多項式ｇｌ，ｇｌ−１，ｇｌ−２，・・・，ｇ２，ｇ１，ｇ０によって支配することができる。ＬＦＳＲは、シードｒｌ−１，ｒｌ−２，・・・，ｒ２，ｒ１，ｒ０として表されるレジスタの初期状態も受信し、このシードは、ブートストラップ信号又は帯域セグメント化ブートストラップ信号のマイナーバージョン番号に対応する。
【００４５】
[0062]  ＰＮ系列生成器２０５のレジスタは、ブートストラップ信号又は帯域セグメント化ブートストラップ信号の最初のシンボルを生成する前、シードからの初期状態を用いて再初期化することができる。ＰＮ系列生成器２０５は、ブートストラップ信号又は帯域セグメント化ブートストラップ信号内の再初期化なしで、同じブートストラップ信号又は帯域セグメント化ブートストラップ信号内でオンシンボルから別のシンボルに連続し続けることができる。
【００４６】
[0063]  ＰＮ系列生成器２０５の出力は、ｐ（ｋ）として定義することができ、これは０又は１のいずれかの値を有する。ｐ（０）の値は、ＰＮ系列生成器２０５がシード値で初期化された後且つシフトレジスタのいかなるクロッキングの前のＰＮ系列生成器出力にも等しいことができる。シフトレジスタが右の位置にクロッキングしたとき、新しい出力ｐ（ｋ）を続けて生成することができる。幾つかの実施形態によれば、生成器多項式は以下を含むことができる。
[0064]  ｛ｇｌ，ｇｌ−１，ｇｌ−２，．．．，ｇ２，ｇ１，ｇ０｝＝｛１，１，１，０，０，０，０，０，０，０，０，０，０，０，０，１，１｝    式（３）
【００４７】
[0065]  多項式は
[0066]  ｐ（ｘ）＝ｘ１６＋ｘ１５＋ｘ１４＋ｘ＋１    式（４）
に基づく。
【００４８】
[0067]  この例では、式（３）中のｇ０の値は、式（４）中の係数をｘ０で乗算したものである。式（３）中のｇ１の値は、式（４）中の係数をｘ１で乗算したものである。式（３）中のｇ２の値は、式（４）中の係数をｘ２で乗算したものである。式（３）中のｇ３の値は、式（４）中の係数をｘ３で乗算したものである。式（３）中のｇ１６の値が式（４）中の係数をｘ１６で乗算したものであるまで以下同様である。
【００４９】
[0068]  図２Ｃは、本開示の幾つかの実施形態による、複数のブートストラップ信号及び／又は複数の帯域セグメント化ブートストラップ信号を生成するステップを示す。システム２５０は、送信機において、例えば、図４Ａ〜図４Ｃに示されるように、複数のブートストラップ信号及び／又は複数の帯域セグメント化ブートストラップ信号を生成及び送信するように構成することができる。例えば、システム２５０は、ゲートウェイ１０８及び／又はブロードキャストネットワーク１０６における送信機又は送信機の一部であることができる。
【００５０】
[0069]  一実施形態によれば、システム２５０は、１つ又は複数の系列生成器２０６ａ〜２０６ｎ、１つ又は複数の巡回シフトモジュール２１７ａ〜２１７ｎ、１つ又は複数のマッピングモジュール２１９ａ〜２１９ｎ、ＩＦＦＴモジュール２２１、及びシーケンサモジュール２２３を含むことができる。系列生成器２０６ａ〜２０６ｎ、巡回シフトモジュール２１７ａ〜２１７ｎ、マッピングモジュール２１９ａ〜２１９ｎ、ＩＦＦＴモジュール２２１、及びシーケンサモジュール２２３については上述した。
【００５１】
[0070]  システム２５０の各分岐２４３ａ〜２４３ｎは、図２Ａのシステム２００と同様に動作する。例えば、系列生成器２０６ａは、ＰＮ系列生成器及びＺＣ系列生成器を含むことができ、例えば、図２Ａに関して上述したように、シード値及びルートインデックス値を受信するように構成することができる。系列生成器２０６ａは、ルートインデックス値に基づいて生成される定振幅零自己相関系列をシード値に基づいて生成される疑似雑音系列を用いて変調することにより、複素系列を生成するように構成することができる。幾つかの実施形態によれば、巡回シフトモジュール２１７ａは、ＺＣ系列及びＰＮ系列が変調される前、シグナリング情報を受信し、巡回シフトを生成し、巡回シフトをＺＣ系列に適用することができる。
【００５２】
[0071]  マッピングモジュール２１９ａは、複素系列を１つ又は複数のサブキャリアにマッピングするように構成することができる。ＩＦＦＴモジュール２２１は、マッピングモジュール２１９ａ〜２１９ｎの出力を時間領域系列に変換することができる。マッピングモジュール２１９ａは、上述したように、ゼロパディングを追加するように構成することもできる。幾つかの実施形態によれば、巡回シフトモジュール２１７ａは、ＩＦＦＴモジュール２２１の後、時間領域系列に適用されて、シフトされた時間領域系列を生成することができる。換言すれば、巡回シフトモジュール２１７ａは、マッピングモジュール２１９ａの前及び／又はＩＦＦＴモジュール２２１の後に適用することができる。シーケンサモジュール２２３は、より詳細に後述するように、系列ＣＡＢ及び／又はＢＣＡを生成するように構成される。したがって、システム２５０は、例えば、図４Ａ〜図４Ｃに示されるように、帯域セグメント化ブートストラップ信号２４５を生成する。換言すれば、システム２５０の出力２４５は、分岐２４３ａ〜２４３ｎによって生成された信号の組合せとして生成される帯域セグメント化ブートストラップ信号であることができる。
【００５３】
[0072]  幾つかの実施形態によれば、システム２５０は、１つ又は複数の分岐２４３ａ〜２４３ｎによって共有される１つのＩＦＦＴモジュール２２１を含むことができる。この実施形態では、１つ又は複数のマッピングモジュール２１９ａ〜２１９ｎの出力は、１つのＩＦＦＴモジュール２２１に入力されて、マッピングモジュール２１９ａ〜２１９ｎの出力を結合し、時間領域系列に変換する。幾つかの実施形態によれば、１つ又は複数の分岐２４３ａ〜２４３ｎは、５つのセグメントを有する帯域セグメント化ブートストラップ信号を生成する５つの分岐を含むことができる。共通のＩＦＦＴモジュールが５つの分岐に使用される場合、共通のＩＦＦＴモジュール２２１は、２０４８というＦＦＴ長を有することができる。幾つかの実施形態によれば、１つ又は複数の分岐２４３ａ〜２４３ｎは、２つのセグメントを有する帯域セグメント化ブートストラップ信号を生成する２つの分岐を含むことができる。共通のＩＦＦＴモジュールが２つの分岐に使用される場合、共通のＩＦＦＴモジュール２２１は、２０４８というＦＦＴ長を有することができる。更なる実施形態では、他の数の分岐を利用することができる。
【００５４】
[0073]  システム２５０が、１つ又は複数の分岐２４３ａ〜２４３ｎによって共有される１つのＩＦＦＴモジュール２２１を含む場合、システム２５０は、より詳細に後述するように系列ＣＡＢ及び／又はＢＣＡを生成するように構成される１つのシーケンサモジュール２２３を含むこともできる。この実施形態では、共通のシーケンサモジュール２２３は、帯域セグメント化ブートストラップ信号内のセグメントを検出し、帯域セグメント化ブートストラップ信号の各セグメントにＣＡＢ及び／又はＢＣＡ系列を生成することができる。
【００５５】
[0074]  幾つかの例によれば、マッピングモジュール２１９ａ〜２１９ｎは、入力複素系列を１つ又は複数の組のサブキャリアにマッピングするように構成される。例えば、マッピングモジュール２１９ａ〜２１９ｎは、入力複素系列を異なる組のサブキャリアである第１の組、第２の組、・・・、第ｎの組のサブキャリアにマッピングするように構成される。例えば、各マッピングモジュール２１９ａ〜２１９ｎは、その入力を他のマッピングモジュール２１９ａ〜２１９ｎと異なる組のサブキャリアにマッピングすることができる。換言すれば、マッピングモジュール２１９ａ〜２１９ｎの出力の第１の組、第２の組、・・・、第ｎの組のそれぞれのサブキャリアは、例えば、図４Ａ〜図４Ｃに示されるように、帯域セグメント化ブートストラップ信号２４５のセグメントが周波数領域において互いの隣に配置されるように、他の組のサブキャリアからシフトされる。
【００５６】
[0075]  幾つかの例では、各マッピングモジュール２１９ａ〜２１９ｎは、各巡回シフトモジュール２１７ａ〜２１７ｎを使用して、その入力を他のマッピングモジュール２１９ａ〜２１９ｎと異なる組のサブキャリアにマッピングすることができる。上述したように、各巡回シフトモジュール２１７は、周波数領域において巡回をＺＣ系列生成器に適用することができ、これは、ＺＣ系列生成器の出力系列の生成に使用される。例えば、ＺＣ系列生成器の出力系列（１つ又は複数の系列生成器２０６ａ〜２０６ｎ内）が、所望の周波数範囲内で提供される限り、各マッピングモジュール２１９ａ〜２１９ｎは、その入力を他のマッピングモジュール２１９ａ〜２１９ｎと異なる組のサブキャリアにマッピングすることができる。しかしながら、本開示の実施形態は、これらの例に限定されず、各マッピングモジュール２１９ａ〜２１９ｎがその入力を共通のＩＦＦＴモジュール２２１内の他のマッピングモジュール２１９ａ〜２１９ｎと異なる組のサブキャリアにマッピングするのに、他の方法を使用することもできる。
【００５７】
[0076]  幾つかの例によれば、システムの分岐２４３ａ〜２４３ｎは、帯域セグメントブートストラップ信号２４５を生成するように同時に又は略同時に動作するように構成することができる。幾つかの実施形態では、システム２５０は、システム２５０の各分岐をＩＦＦＴモジュール２２１に接続する多重化スイッチ（図示せず）を共通のＩＦＦＴモジュール２２１とマッピングモジュール２１９ａ〜２１９ｎとの間に含むことができる。
【００５８】
[0077]  幾つかの例示的な実施形態によれば、システム２５０は、受信デバイスについて狭帯域受信及び低複雑性／節電を標的とすることができる。これは、狭帯域受信デバイスが、複数のより小さな帯域幅信号の１つからコンテンツを同期、発見、及び受信するように調整できるようにすることができるより小さな帯域幅を有する信号にセグメント化される広帯域幅送信信号を構築することによって可能になる。
【００５９】
[0078]  システム２５０の各分岐２４３ａ〜２４３ｎは、同様のモジュール／デバイスを含むものとして示されているが、１つ又は複数の分岐２４３ａ〜２４３ｎは、モジュール／デバイスの１つ又は複数を共有することができる。例えば、システム２５０は、例えば、巡回シフトを１つ又は複数のＩＦＦＴモジュール２２１及び／又は１つ又は複数の系列生成器２０６ａ〜２０６ｎの１つ又は複数のＺＣ系列生成器の出力に適用することができる１つの巡回シフトモジュール２１７を含むことができる。追加又は代替として、システム２５０は複数のＩＦＦＴモジュール２２１を含むことができる。例えば、各分岐２４３ａ〜２４３ｎは、その分岐に１つのＩＦＦＴモジュール２２１を含むことができる。追加又は代替として、システム２５０は、２つ以上のシーケンサモジュール２２３を含むことができる。例えば、各分岐２４３ａ〜２４３ｎは、その分岐に２つのシーケンサモジュール２２３を含むことができる。幾つかの例では、マルチプレクサ（一例として）を使用して、帯域セグメント化ブートストラップ信号を結合することができる。
【００６０】
[0079]  図２Ｄは、本開示の幾つかの実施形態による、ブートストラップ後信号及び／又は区分化ブートストラップ後信号を生成するシステムを示す。図２Ｄのシステム２６０は、送信機において、例えば、図４Ａ〜図４Ｃに示されるように、複数のブートストラップ後信号及び／又は区分化ブートストラップ後信号を生成し送信するように構成することができる。例えば、システム２６０は、ゲートウェイ１０８及び／又はブロードキャストネットワーク１０６における送信機又は送信機の一部であることができる。
【００６１】
[0080]  幾つかの実施形態によれば、図２Ｄのシステム２６０の各分岐は、図２Ｃのシステム２５０の１つの分岐に対応することができる。換言すれば、区分化ブートストラップ後信号（又はブートストラップ後信号）を生成するシステム２６０の各分岐は、対応する帯域セグメント化ブートストラップ信号（又はブートストラップ信号）を生成する図２Ｃのシステム２５０の対応する分岐を有することができる。帯域セグメント化ブートストラップ信号（又はブートストラップ信号）は、幾つかの実施形態によれば、受信機での初期同期を容易にするために、対応する区分化ブートストラップ後信号（又はブートストラップ後信号）についての情報を含む。追加又は代替として、帯域セグメント化ブートストラップ信号（又はブートストラップ信号）は、受信機が対応する区分化ブートストラップ後信号（又はブートストラップ後信号）内のデータを受信し復号するのを容易にするために、対応する区分化ブートストラップ後信号（又はブートストラップ後信号）についての情報を含む。
【００６２】
[0081]  幾つかの実施形態によれば、システム２６０は、物理レイヤで送信される直交周波数分割多重化（ＯＦＤＭ）信号の生成に使用することができる。情報ビット入力ａ〜入力ｅの形態のデータは、システム２６０の各分岐に入力される。入力ａ〜入力ｅのそれぞれ１つは、特定のサービスに関連付けられたデータを搬送することができる。例えば、入力は、テレビ番組、番組のビデオストリーム、番組のオーディオストリーム、字幕情報、ＩｏＴデバイスについてのデータ、適するタイプのサービスの更新データに関連付けられたデータ及び他の適するタイプのサービスに関連付けられた任意の他のデータを搬送することができる。
【００６３】
[0082]  入力ａ〜入力ｅのそれぞれ１つに属するデータは、順方向誤り訂正（「ＦＥＣ」）符号化モジュール２６１ａ〜２６１ｅを通して送信され、低密度パリティ検査（「ＬＤＰＣ」）符号化又はターボ符号化等の符号化が入力に適用される。なお、他の符号化方式を入力に適用することもできる。符号化ビットは変調器２６３ａ〜２６３ｅに入力され、変調器は、例えば、２位相偏移変調（ＢＰＳＫ）、４位相偏移変調（「ＱＰＳＫ」）、Ｎ−ＱＡＭ、又は他の変調方式等の変調手法を使用してコンステレーションシンボルを変調するのに使用される。時間インタリーブモジュール２６５ａ〜２６５ｅを使用して、時間インタリーブを任意選択的に変調シンボルに適用することができる。
【００６４】
[0083]  １つ又は複数の時間インタリーブモジュール２６５ａ〜２６５ｅから生成された変調シンボルは次に、マッピングモジュール２６７ａ〜２６７ｅを使用してリソースブロック内の特定のリソース又はデータセルにマッピングされる。そのようなリソースブロックは、フレーム、フレーム内の区分、又はフレーム内のサブフレームと呼ぶことができる。特に、区分は、フレーム内のリソースのサブセットとして考えることができ、フレームは１つ又は複数の区分を含む。リソースブロックは、時間領域及び周波数領域の両方において寸法を有するデータセルの論理グリッドとして表現することができる。例えば、各データセルは、１つの変調シンボルを搬送することができ、一方、データセルの各列は１つのＯＦＤＭシンボルに属する。
【００６５】
[0084]  各ＯＦＤＭシンボルに属するデータセルは、周波数ダイバーシチを改善するためにＯＦＤＭシンボル単位で、周波数インタリーバ２６９ａ〜２６９ｅを使用して任意選択的な周波数インタリーブを受けることができる。散乱パイロット値、エッジパイロット値、及び／又は連続パイロット値が、パイロットモジュール２７１ａ〜２７１ｅを使用して、各ＯＦＤＭシンボル内の適切なロケーションに挿入されて、受信機でのチャネル推定及び搬送波追跡を支援する。なお、システム２６０の幾つかのモジュールは図２Ｄに示されているが、これらのモジュールの幾つかは任意選択的であることができる。追加又は代替として、システム２６０は、区分化ブートストラップ後信号及び／又はブートストラップ後信号を生成する追加のモジュールを含むことができる。
【００６６】
[0085]  次に、生成された多重化データ及びパイロットセルは、ＩＦＦＴモジュール２７３を使用して逆フーリエ変換（「ＩＦＦＴ」）を受けることができる。一実施形態によれば、システム２６０は、システム２６０の各分岐からのデータを周波数領域から時間領域に変換するのに使用される共通のＩＦＦＴモジュール２７３を含むことができる。この実施形態では、システム２６０の各分岐をＩＦＦＴモジュール２７３に接続するのにスイッチ２７７を使用することができる。この実施形態では、チャネルは、１つのＩＦＦＴモジュール２７３を通して同時に又は略同時に処理することができる、全帯域幅の直交サブ帯域に割り振ることにより１つのＯＦＤＭシンボルを作成する。受信機は、１つのチャネルにフォーカスすることができ、より小さなＦＦＴサイズのモジュールを使用することができる。
【００６７】
[0086]  非限定的な一例によれば、出力信号２７９（区分化ブートストラップ後信号２７９）は、サンプリングレート（Ｆｓ）６．９１２ＭＨｚ（Ｆｓ＝Ｎ＊０．３８４ＭＨｚ、但し、Ｎ＝１８）を有することができる。この例では、６ＭＨｚチャネルを仮定する送信信号２７９に有用な帯域幅は、約５．７ＭＨｚであることができ、各エッジに保護帯域を有する。この場合、ＩＦＦＴモジュール２７３は、８Ｋ、１６Ｋ、又は３２ＫのＦＦＴサイズ（ＮＦＦＴ）を使用することができる（しかし、他の値のＦＦＴサイズを使用することもできる）。換言すれば、ＮＦＦＴ＝８Ｋポイント、ＮＦＦＴ＝１６Ｋポイント、又はＮＦＦＴ＝３２ＫポイントＩＦＦＴモジュール２７３が使用される。ＩＦＦＴモジュール２７３に８ＫのＩＦＦＴサイズを仮定すると、この例では、ＩＦＦＴモジュール２７３の出力内の各シンボルは、巡回プリフィックスなしで約１．１７ｍｓの長さを有することができる。信号２７９における各シンボルの長さは、約１．１７ｍｓに、ＯＦＤＭでの受信機側でのマルチパスを軽減するのに使用される、追加される巡回プリフィックス２７５を加えたものであることができる。また、この例におけるサブキャリア間の周波数間隔ΔＦは、約８５４Ｈｚであることができる。この非限定的な例では、区分化ブートストラップ後信号２７９が５つのセグメントを有すると仮定して、１つのセグメントを受信する各受信機は、約１．１４０ＭＨｚである有用帯域幅５．７ＭＨｚ／５を有することができ、ＦＦＴサイズ２Ｋ（８Ｋ／４）を有し、約８５４Ｈｚのサブキャリア間の周波数間隔を維持しながら、
低サンプリングレートＦｓ＝１．７２８ＭＨｚ（６．９１２ＭＨｚ／４）を有するＦＦＴモジュール（例えば、図１１のＦＦＴモジュール１１０７）を有することができる。受信機のサンプリングレートＦｓ及びＦＦＴサイズの両方を４に低減することによりサブキャリアΔＦを一定に維持することにより（例えば、式（６）参照）、受信機は、有用セグメント化帯域幅１．１４０ＭＨｚを受信しながら、電池給電デバイスにとって重要な節電（低Ｆｓ、ＦＦＴ）の恩恵を受けることができる。この例では、共通の８Ｋ  ＩＦＦＴ２７３は、直交性を維持し、サービスを搬送する区分化ブートストラップ後信号のセグメント間に周波数における保護帯域の必要性をなくすことによってスペクトル効率を上げる。
【００６８】
[0087]  代替的には、システム２６０は、複数のＩＦＦＴモジュールを含むことができる。例えば、システム２６０は、システム２６０の各分岐に１つのＩＦＦＴモジュールを含むことができる。この実施形態では、マルチプレクサ（一例として）を使用して、区分化ブートストラップ後信号（及び／又はブートストラップ後信号）を結合することができる。
【００６９】
[0088]  最後に、巡回プリフィックスモジュール２７５を使用して、巡回プリフィックスを各ＯＦＤＭシンボルの時間領域サンプルの先頭に追加される。
【００７０】
[0089]  図３は、本開示の一実施形態による信号３００を示し、信号３００は、ＡＴＳＣ３．０規格Ａ／３２１においてブートストラップ非帯域セグメント化バージョン３０１を利用したＡＴＳＣ３．０規格の代表でもある。信号３００（例えば、データフレーム）は、ブートストラップ後信号３０３のシグナリングを含むブートストラップ信号３０１を含む。ブートストラップ後信号３０３は、プリアンブル３０５及びフレームペイロード３０７を含むことができる。幾つかの実施形態では、ペイロード３０７は、受信機に送信されるデータ及び／又はサービスを含むことができ、プリアンブル３０５は、ペイロード３０７についての情報を含むことができる。幾つかの実施形態によれば、ブートストラップ信号３０１は、図２Ａのシステム２００を使用して作成することができる。
【００７１】
[0090]  幾つかの実施形態によれば、以下の設計パラメータを使用して、ブートストラップ信号３０１を生成することができる。例えば、システム２００のＺＣ系列生成器２０７は、ルート値ｑ＝１３７及びＺＣ系列長ＮＺＣ＝１４９９（素数）を使用することができる。システム２００のＰＮ系列生成器２０５は、式（３）において上述した生成器多項式と共に１６ビットＬＦＳＲを使用することができる。
【００７２】
[0091]  ベースバンドサンプリングレート（ＢＳＲ）は、以下のように計算することができる。
[0092]  ＢＳＲ＝ＦＳ＝（Ｎ＋１６）×Ｍ    式（５）
【００７３】
[0093]  ここで、Ｆｓはサンプリングレートであり、Ｎは、選ばれた帯域幅にわたりスケーリングする操作変数であり、Ｍは帯域幅を選ぶファクタ（ＭＨｚ単位）である。幾つかの実施形態によれば、サンプリングレートを計算するために、Ｎ＝０及びＭ＝０．３８４（例えば、ＬＴＥへのファクタＭの既存の関係により（ＷＣＤＭＡに基づく））サンプリングレートＦｓである。したがって、サンプリングレートはＦｓ＝（０＋１６）×０．３８４＝６．１４４ＭＨｚである。
【００７４】
[0094]  システム２００のＩＦＦＴモジュール２２１に使用されるＦＦＴサイズは、２のべき乗、例えば、１０２４、２０４８、４０９６、８１９２等であることができる。幾つかの実施形態によれば、ＦＦＴサイズは２０４８であるように選ばれる。
【００７５】
[0095]  ＯＦＤＭサブキャリア間隔（Ｈｚ単位）は、
[0096]  
【数３】
2019533402.tif 000005
として定義される。
【００７６】
[0097]  ＮＦＦＴ＝２０４８ポイントＩＦＦＴモジュール２２１が使用され、サンプリングレートが６．１４４ＭＨｚであると仮定すると、サブキャリア間隔ΔＦ＝３ｋＨｚである。
【００７７】
[0098]  この実施形態によれば、上述したパラメータに基づいて、ブートストラップ信号３０１は帯域幅４．５ＭＨｚを有し、これは、一般に使用される最小の５ＭＨｚ  ＬＴＥ帯域幅よりも小さく、これは、Ｍの選択と共に、ＬＴＥとの将来の互換性をなくさないように行われる。
【００７８】
[0099]  ＢＷ＝（ＮＺＣ＋１）×ΔＦ＝４．５ＭＨｚ。２０４８  ＩＦＦＴが使用されるが、ΔＦを有する中心（ＮＺＣ＋１）又は（１４９９＋１）１５００サブキャリアは有用なままであり、残りの５４８はゼロに設定される。２０４８×ΔＦは、５４８をゼロに設定することなく、６．１４４ＭＨｚの帯域幅をもたらす。
【００７９】
[0100]  また、ブートストラップ信号３０１内の各シンボルは、シーケンサモジュール２２３での処理後、持続時間５００μｓ（Ｔシンボル＝５００μｓ）を有する。
【００８０】
[0101]  その結果、一実施形態によれば、ブートストラップ信号３０１は、４．５ＭＨｚ帯域幅を消費し、サブキャリア間隔ΔＦ＝３ｋＨｚを有することができ、これは、モバイル環境においてブロードキャスト帯域に非常に適切なドップラー性能（ＭＰＨ）を与えることができ、将来を除外せずに、約２ＧＨｚまでの高周波数帯域まで拡張することができる。図３に示されるように、ブートストラップ信号３０１は、周波数領域において、ブートストラップ後信号３０３に対して中央に配置することができ、５４８のサブキャリアをゼロに設定する結果を見ることができる。幾つかの実施形態によれば、ブートストラップ信号３０１は４つのシンボルを含むことができる。しかしながら、ブートストラップ信号３０１は任意の他の数のシンボルを含むこともできる。
【００８１】
[0102]  図４Ａは、本開示の一実施形態による信号４００を示す。信号４００（例えば、データフレーム）は、ブートストラップ信号４０１、帯域セグメント化ブートストラップ信号４１１、及び区分化ブートストラップ後信号４０３を含む。区分化ブートストラップ後信号４０３は周波数区分化プリアンブルを含むことができ、周波数区分化プリアンブルは、第１の部分４０５及び第２の部分４１５を含む。更に、区分化ブートストラップ後信号４０３は、周波数区分化フレームペイロードを含むことができ、周波数区分化フレームペイロードは、第１の部分４０７及び第２の部分４１７を含む。幾つかの実施形態によれば、ブートストラップ信号４０１及び帯域セグメント化ブートストラップ信号４１１は、図２Ｃのシステム２５０を使用して作成することができる。幾つかの実施形態では、区分化ブートストラップ後信号４０３は、図２Ｄのシステム２６０を使用して作成することができる。
【００８２】
[0103]  この例では、周波数区分化プリアンブルの第１の部分４０５及び周波数区分化フレームペイロードの第１の部分４０７は、ブートストラップ信号４０１に関連し、ブートストラップ信号４０１と位置合わせされる（周波数において）。同様に、周波数区分化プリアンブルの第２の部分４１５及び周波数区分化フレームペイロードの第２の部分４１７は、帯域セグメント化ブートストラップ信号４１１に関連し、帯域セグメント化ブートストラップ信号４１１と位置合わせされる（周波数において）。
【００８３】
[0104]  幾つかの実施形態によれば、例えば、システム２００及び／又は２５０は、図３に関して上述した設計パラメータを使用して、ブートストラップ信号４０１を生成することができる。幾つかの実施形態によれば、以下の設計パラメータを使用して、帯域セグメント化ブートストラップ信号４１１を生成することができる。例えば、システム２００のＺＣ系列生成器２０７及び／又はシステム２５０のＺＣ系列生成器は、ＺＣ系列長ＮＺＣ＝３７３（素数）及びルート値ｑ＝１，２，３，・・・，ＮＺＣ−１を使用することができる。この例では、ＺＣ系列生成器は、より低い符号化利得（例えば、ブートストラップ信号が有するものの１／４又はブートストラップ信号４０１と比較して１２ｄＢ低い符号化利得）を有する。システム２００のＰＮ系列生成器２０５及び／又はシステム２５０のＰＮ系列生成器は、式（３）において上述した生成器多項式と共に１６ビットＬＦＳＲを使用することができる。
【００８４】
[0105]  一例として図２Ｃのシステム２５０を与えると、サンプリングレートＦｓは６．１４４ＭＨｚであり、共通のＩＦＦＴモジュール２２１は２０４８ポイントであり、サブキャリア間隔ΔＦは、ブートストラップ信号４０１及び帯域セグメント化ブートストラップ信号４１１の送信機において、３０００Ｈｚである。帯域セグメント化ブートストラップ信号４１１を受信する受信機デバイスのベースバンドサンプリングレート（ＢＳＲ）Ｆｓは、Ｆｓ＝４×０．３８４＝１．５３６ＭＨｚとして計算することができる。帯域セグメント化ブートストラップ信号４１１を受信する受信機デバイスで使用されるＦＦＴサイズは、５１２であり、Ｆｓ及びＦＦＴサイズの両方、受信機が送信機と比較して１／４に削減されることが分かる。受信機ＦＦＴサイズが５１２であり、サンプリングレートが１．５３６ＭＨｚであり、サブキャリア間隔ΔＦ＝３ｋＨｚであると仮定すると、これにより、帯域セグメント化ブートストラップ４１１が受信されるとき、電力の節減が可能である。しかしながら、ブートストラップ信号４０１の受信機は、節電から恩恵を受けず、送信機２５０と同じＦｓ６．１４４ＭＨｚ及びＦＦＴサイズ２０４８を使用する。
【００８５】
[0106]  この実施形態によれば、上述したパラメータに基づいて、帯域セグメント化ブートストラップ信号４１１は、
[0107]  ＢＷ＝（ＮＺＣ＋１）×ΔＦ＝１．１２２ＭＨｚ
の帯域幅を有する。
【００８６】
[0108]  また、帯域セグメント化ブートストラップ信号４１１内の各シンボルは、シーケンサモジュール２２３での処理後、持続時間５００μｓ（Ｔシンボル＝５００μｓ）を有する。なお、これらは例示的な値であり、例えば、ＺＣ系列長、ルート値、シード値、ＰＮ系列生成器、ＦＦＴサイズ等に他の値を使用することもできる。
【００８７】
[0109]  その結果、一実施形態によれば、ブートストラップ信号４０１は、４．５ＭＨｚ帯域幅を消費し、サブキャリア間隔ΔＦ＝３ｋＨｚを有することができる。更に、帯域セグメント化ブートストラップ信号４１１は、１．１２２ＭＨｚ帯域幅を消費し、サブキャリア間隔ΔＦ＝３ｋＨｚを有することができる。この実施形態では、ブートストラップ信号４０１及び帯域セグメント化ブートストラップ信号４１１の総帯域幅はそれぞれ、４．５ＭＨｚ及び１．１２２ＭＨｚであり、合計で５．６２２ＭＨｚであり、これは、図４Ａの５．７１ＭＨｚの有用帯域幅を有する６ＭＨｚチャネル内部に収まる。ブートストラップ信号４０１は左にシフトされ、帯域セグメント化ブートストラップ信号４１１に、各帯域エッジ及びエッジ間においてゼロサブキャリアが追加され、示されるようにブートストラップ信号４０１、帯域セグメント化ブートストラップ信号４１１は、一例として、２０４８ポイントのＦＦＴサイズの共通のＩＦＦＴモジュール２２１を有する信号４００である。
【００８８】
[0110]  図４Ａに示されるように、信号４００は、一例としてシステム２５０及び２６０を使用して、２つの独立した区分化チャネルで送受信することができる。換言すれば、ブートストラップ信号４０１、周波数区分化プリアンブルの第１の部分４０５、及び周波数区分化フレームペイロードの第１の部分４０７は、１つのチャネルで送受信することができる。同様に、帯域セグメント化ブートストラップ信号４１１、周波数区分化プリアンブルの第２の部分４１５、及び周波数区分化フレームペイロードの第２の部分４１７は、別の独立したチャネルで送信することができる。
【００８９】
[0111]  幾つかの実施形態によれば、ブートストラップ信号４０１及び／又は帯域セグメント化ブートストラップ信号４１１は、４つのシンボルを含むことができる。しかしながら、ブートストラップ信号４０１及び／又は帯域セグメント化ブートストラップ信号４１１は、任意の他の数のシンボルを含むことができる。幾つかの実施形態では、ブートストラップ信号４０１及び／又は帯域セグメント化ブートストラップ信号４１１は、ＯＦＤＭシンボルを含むことができる含むことができる。追加又は代替として、区分化ブートストラップ後信号４０３はＯＦＤＭシンボルを含むことができる。
【００９０】
[0112]  幾つかの実施形態によれば、保護帯域（例えば、ゼロパディング）がブートストラップ信号４０１と帯域セグメント化ブートストラップ信号４１１との間に提供される。追加又は代替として、保護帯域は、周波数区分化プリアンブルの第１の部分４０５と第２の部分４１５との間に提供されない。また、保護帯域は、幾つかの実施形態によれば、周波数区分化フレームペイロードの第１の部分４０７と第２の部分４１７との間に提供されない。
【００９１】
[0113]  図４Ｂは、本開示の一実施形態による信号４３０を示す。信号４３０（例えば、データフレーム）は、帯域セグメント化ブートストラップ信号４１１Ａ〜Ｅ及び区分化ブートストラップ後信号４０３を含む。区分化ブートストラップ後信号４０３は周波数区分化プリアンブルを含むことができ、周波数区分化プリアンブルは部分４１５Ａ〜Ｅを含む。更に、区分化ブートストラップ後信号４０３は、周波数区分化フレームペイロードを含むことができ、周波数区分化フレームペイロードは部分４１７Ａ〜Ｅを含む。幾つかの実施形態によれば、帯域セグメント化ブートストラップ信号４１１Ａ〜Ｅは、図２Ｃのシステム２５０を使用して作成することができる。
【００９２】
[0114]  この例では、周波数区分化プリアンブルの第１の部分４１５Ａ及び周波数区分化フレームペイロードの第１の部分４１７Ａは、帯域セグメント化ブートストラップ信号４１１Ａに関連し、帯域セグメント化ブートストラップ信号４１１Ａと位置合わせされる（周波数において）。同様に、周波数区分化プリアンブルの第２の部分４１５Ｂ及び周波数区分化フレームペイロードの第２の部分４１７Ｂは、帯域セグメント化ブートストラップ信号４１１Ｂに関連し、帯域セグメント化ブートストラップ信号４１１Ｂと位置合わせされる（周波数において）。周波数区分化プリアンブルの第３の部分４１５Ｃ及び周波数区分化フレームペイロードの第３の部分４１７Ｃは、帯域セグメント化ブートストラップ信号４１１Ｃに関連し、帯域セグメント化ブートストラップ信号４１１Ｃと位置合わせされる（周波数において）。周波数区分化プリアンブルの第４の部分４１５Ｄ及び周波数区分化フレームペイロードの第４の部分４１７Ｄは、帯域セグメント化ブートストラップ信号４１１Ｄに関連し、帯域セグメント化ブートストラップ信号４１１Ｄと位置合わせされる（周波数において）。そして、周波数区分化プリアンブルの第５の部分４１５Ｅ及び周波数区分化フレームペイロードの第５の部分４１７Ｅは、帯域セグメント化ブートストラップ信号４１１Ｅに関連し、帯域セグメント化ブートストラップ信号４１１Ｅと位置合わせされる（周波数において）。
【００９３】
[0115]  幾つかの実施形態によれば、帯域セグメント化ブートストラップ信号４１１Ａ〜Ｅは、広帯域幅信号内部の独立した狭帯域幅信号であり、図４Ａの帯域セグメント化ブートストラップ信号４１１と同様に生成される。換言すれば、例えば、システム２５０のＺＣ系列生成器は、ＺＣ系列長ＮＺＣ＝３７３（素数）及びルート値ｑ＝１，２，３，・・・，ＮＺＣ−１を使用することができる。システム２５０のＰＮ系列生成器は、式（３）において上述した生成器多項式と共に１６ビットＬＦＳＲを使用することができる。一例として、図２Ｃのシステム２５０を所与として、送信機サンプリングレートＦｓは６．１４４ＭＨｚであり、共通のＩＦＦＴモジュール２２１はＦＦＴサイズ２０４８ポイントを有し、サブキャリア間隔ΔＦは３０００Ｈｚである。例えば、帯域セグメント化ブートストラップ信号４１１Ａ〜Ｅのいずれか１つを受信する受信機デバイスでのベースバンドサンプリングレート（ＢＳＲ）Ｆｓは、Ｆｓ＝４×０．３８４＝１．５３６ＭＨｚとして計算することができる。帯域セグメント化ブートストラップ信号４１１Ａ〜Ｅのいずれか１つの受信機でのＦＦＴサイズは、５１２であるように選ぶことができる。受信機ＦＦＴサイズが５１２であり、サンプリングレートが１．５３６ＭＨｚであり、サブキャリア間隔がΔＦ＝３ｋＨｚであると仮定する。帯域セグメント化ブートストラップ信号４１１Ａ〜Ｅは、帯域幅ＢＷ＝（ＮＺＣ＋１）×ΔＦ＝１．１２２ＭＨｚを有し、それぞれ、送信機と比較してＦｓ及びＦＦＴを低減して、節電受信から恩恵を受ける。
【００９４】
[0116]  また、帯域セグメント化ブートストラップ信号４１１Ａ〜Ｅ内の各シンボルは、シーケンサモジュール２２３での処理後、持続時間５００μｓ（Ｔシンボル＝５００μｓ）を有する。なお、これらは例示的な値であり、例えば、ＺＣ系列長、ルート値、シード値ＰＮ系列生成器、ＦＦＴサイズ等に他の値を使用することもできる。この例では、帯域セグメント化ブートストラップ信号４１１Ａ〜Ｅは生成されるが、節電を達成するために、ブートストラップ信号の生成に使用されるパラメータと比較してＦＦＴサイズ及びサンプリングレートをスケーリングし、サブキャリア間隔を一定に保つことによって受信される。
【００９５】
[0117]  幾つかの実施形態によれば、区分化ブートストラップ後信号４０３は、図２Ｄのシステム２６０を使用して生成することができる。幾つかの実施形態では、区分化ブートストラップ後信号４０３の各セグメント（例えば、周波数区分化プリアンブルの第１の部分４１５Ａ及び周波数区分化フレームペイロードの第１の部分４１７Ａ）は、例えば、システム２６０により、ＦＦＴサイズ８１９６、サンプリング周波数Ｆｓ＝６９１２ＭＨｚ、及びサブキャリ間隔ΔＦ８４３．７５Ｈｚを有する共通のＩＦＦＴモジュール２７３を使用して生成することができる。この実施形態では、区分化ブートストラップ後信号４０３の各セグメントは、ＦＦＴサイズ２０４８、サンプリングレート１．７２８ＭＨｚ、及びサブキャリア間隔ΔＦ＝８４３．７５Ｈｚを使用して受信することができ、区分化ブートストラップ後セグメント４０３間に保護帯域がないことの節電及びスペクトル効率から恩恵を受けることができる。
【００９６】
[0118]  図４Ｂに示されるように、信号４３０は、５つの独立した区分化チャネルで送受信することができる。換言すれば、帯域セグメント化ブートストラップ信号４１１Ａ（第１の部分４１５Ａ及び第２の部分４１７Ａのシグナリングと共に）、周波数区分化プリアンブルの第１の部分４１５Ａ、及び周波数区分化フレームペイロードの第１の部分４１７Ａは、１つのチャネルで送受信することができる。同様に、帯域セグメント化ブートストラップ信号４１１Ｂ（第１の部分４１５Ｂ及び第２の部分４１７Ｂのシグナリングと共に）、周波数区分化プリアンブルの第２の部分４１５Ｂ、及び周波数区分化フレームペイロードの第２の部分４１７Ｂは、別の独立したチャネルで送信することができる。帯域セグメント化ブートストラップ信号４１１Ｃ（第１の部分４１５Ｃ及び第２の部分４１７Ｃのシグナリングと共に）、周波数区分化プリアンブルの第３の部分４１５Ｃ、及び周波数区分化フレームペイロードの第３の部分４１７Ｃは、第３の独立したチャネルで送信することができる。帯域セグメント化ブートストラップ信号４１１Ｄ（第１の部分４１５Ｄ及び第２の部分４１７Ｄのシグナリングと共に）、周波数区分化プリアンブルの第４の部分４１５Ｄ、及び周波数区分化フレームペイロードの第４の部分４１７Ｄは、第４の独立したチャネルで送信することができる。そして、帯域セグメント化ブートストラップ信号４１１Ｅ（第１の部分４１５Ｅ及び第２の部分４１７Ｅのシグナリングと共に）、周波数区分化プリアンブルの第５の部分４１５Ｅ、及び周波数区分化フレームペイロードの第５の部分４１７Ｅは、第５の独立したチャネルで送信することができる。
【００９７】
[0119]  幾つかの実施形態によれば、帯域セグメント化ブートストラップ信号４１１Ａ〜Ｅの１つ又は複数は、４つのシンボルを含むことができる。しかしながら、帯域セグメント化ブートストラップ信号４１１Ａ〜Ｅは、区分化ブートストラップ後信号４０３のシグナリングを含む任意の他の数のシンボルを含むことができる。
【００９８】
[0120]  また、５つのみの帯域セグメント化ブートストラップ信号４１１Ａ〜Ｅが図４Ｂに示されているが、信号４３０は、任意の数のブートストラップ信号及び／又は帯域セグメント化ブートストラップ信号を含むことができる。一実施形態によれば、ブートストラップ信号及び／又は帯域セグメント化ブートストラップ信号の数は、ブートストラップ信号及び／又は帯域セグメント化ブートストラップ信号の帯域幅及び信号４３０の総帯域幅に依存することができる。図４Ｂの実施形態では、６ＭＨｚチャネルの信号４３０の総有用帯域幅は５．７１ＭＨｚであることができ、各帯域セグメント化ブートストラップ信号４１１の帯域幅は１．１２２ＭＨｚである。したがって、信号４３０は、５つの帯域セグメント化ブートストラップ信号（並びに関連するプリアンブル及びフレームペイロード）を含む。幾つかの実施形態では、帯域セグメント化ブートストラップ信号４１１Ａ〜Ｅは、ＯＦＤＭシンボルを含むことができる含むことができる。追加又は代替として、区分化ブートストラップ後信号４０３はＯＦＤＭシンボルを含むことができる。
【００９９】
[0121]  幾つかの実施形態によれば、保護帯域（例えば、ゼロパディング）が帯域セグメント化ブートストラップ信号４１１Ａ〜Ｅの間に提供される。追加又は代替として、保護帯域は、幾つかの実施形態によれば、周波数区分化フレームペイロードの部分４１７Ａ〜Ｅの間に提供されない。
【０１００】
[0122]  図４Ｃは、本開示の一実施形態による信号４６０を示す。信号４６０（例えば、データフレーム）は、帯域セグメント化ブートストラップ信号４１１Ａ〜Ｃ及び区分化ブートストラップ後信号４０３を含む。区分化ブートストラップ後信号４０３は周波数区分化プリアンブルを含むことができ、周波数区分化プリアンブルは部分４１５Ａ〜Ｃを含む。更に、区分化ブートストラップ後４０３は、周波数区分化フレームペイロードを含むことができ、周波数区分化フレームペイロードは部分４１７Ａ〜Ｃを含む。幾つかの実施形態によれば、帯域セグメント化ブートストラップ信号４１１Ａ〜Ｃは、図２Ｃのシステム２５０を使用して作成することができる。
【０１０１】
[0123]  この例では、周波数区分化プリアンブルの第１の部分４１５Ａ及び周波数区分化フレームペイロードの第１の部分４１７Ａは、帯域セグメント化ブートストラップ信号４１１Ａに関連し、帯域セグメント化ブートストラップ信号４１１Ａと位置合わせされる（周波数において）。同様に、周波数区分化プリアンブルの第２の部分４１５Ｂ及び周波数区分化フレームペイロードの第２の部分４１７Ｂは、帯域セグメント化ブートストラップ信号４１１Ｂに関連し、帯域セグメント化ブートストラップ信号４１１Ｂと位置合わせされる（周波数において）。周波数区分化プリアンブルの第３の部分４１５Ｃ及び周波数区分化フレームペイロードの第３の部分４１７Ｃは、帯域セグメント化ブートストラップ信号４１１Ｃに関連し、帯域セグメント化ブートストラップ信号４１１Ｃと位置合わせされる（周波数において）。
【０１０２】
[0124]  幾つかの実施形態によれば、帯域セグメント化ブートストラップ信号４１１Ａ及び４１１Ｂは、図４Ａの帯域セグメント化ブートストラップ信号４１１と同様に生成される。換言すれば、例えば、システム２５０のＺＣ系列生成器は、ＺＣ系列長ＮＺＣ＝３７３（素数）及びルート値ｑ＝１，２，３，・・・，ＮＺＣ−１を使用することができる。システム２５０のＰＮ系列生成器は、式（３）において上述した生成器多項式と共に１６ビットＬＦＳＲを使用することができる。帯域セグメント化ブートストラップ信号４１１Ａ又は４１１Ｂを受信する受信機デバイスのベースバンドサンプリングレート（ＢＳＲ）Ｆｓは、Ｆｓ＝４×０．３８４＝１．５３６ＭＨｚとして計算することができる。帯域セグメント化ブートストラップ信号４１１Ａ又は４１１Ｂを受信する受信機デバイスで使用されるＦＦＴサイズは、５１２である。換言すれば、受信機は、ＦＦＴサイズが５１２であり、サンプリングレートが１．５３６ＭＨｚであり、サブキャリア間隔がΔＦ＝３ｋＨｚであると仮定すると、節電の恩恵を受ける。帯域セグメント化ブートストラップ信号４１１Ａ及び４１１Ｂは、帯域幅ＢＷ＝（ＮＺＣ＋１）×ΔＦ＝１．１２２ＭＨｚを有する。そして、帯域セグメント化ブートストラップ信号４１１Ａ及び４１１Ｂ内の各シンボルは、シーケンサモジュール２２３での処理後、持続時間５００μｓ（Ｔシンボル＝５００μｓ）を有する。
【０１０３】
[0125]  幾つかの実施形態によれば、以下の設計パラメータを使用して、帯域セグメント化ブートストラップ信号４１１Ｃを生成することができる。例えば、システム２５０のＺＣ系列生成器は、ＺＣ系列長ＮＺＣ＝７５１（素数）及びルート値ｑ＝１，２，３，・・・，ＮＺＣ−１を使用することができる。この例では、ＺＣ系列生成器は、より低い符号化利得（例えば、ブートストラップ信号が有するものの１／４又はブートストラップ信号４０１と比較して６ｄＢ低い符号化利得）を有する。システム２５０のＰＮ系列生成器は、式（３）において上述した生成器多項式と共に１６ビットＬＦＳＲを使用することができる。
【０１０４】
[0126]  帯域セグメント化ブートストラップ信号４１１Ｃを受信する受信機デバイスのベースバンドサンプリングレート（ＢＳＲ）Ｆｓは、Ｆｓ＝８×０．３８４＝３．０７２ＭＨｚとして計算することができる。帯域セグメント化ブートストラップ信号４１１Ｃを受信する受信機デバイスで使用されるＦＦＴサイズは、１０２４であるように選ぶことができる。ＦＦＴサイズが１０２４であり、サンプリングレートが３．０７２ＭＨｚであり、サブキャリア間隔がΔＦ＝３ｋＨｚであると仮定する。したがって、帯域セグメント化ブートストラップ信号４１１を受信する受信機は、ＦＦＴサイズ２０４８及びＦｓ＝６．１４４ＭＨｚを有する送信機（例えば、システム２５０）の５０％であるＦＦＴサイズ１０２４及びＦｓ３．０７２ＭＨｚを使用することによって節電から恩恵を受けることができる。
【０１０５】
[0127]  この例によれば、上述したパラメータに基づいて、帯域セグメント化ブートストラップ信号４１１Ｃは、
[0128]  ＢＷ＝（ＮＺＣ＋１）×ΔＦ＝２．２５６ＭＨｚ
の帯域幅を有する。
【０１０６】
[0129]  また、帯域セグメント化ブートストラップ信号４１１Ｃ内の各シンボルは、シーケンサモジュール２２３での処理後、持続時間５００μｓ（Ｔシンボル＝５００μｓ）を有する。なお、これらは例示的な値であり、例えば、ＺＣ系列長、ルート値、シード値ＰＮ系列生成器、ＦＦＴサイズ、又は帯域セグメント化ブートストラップ信号及び区分化ブートストラップ後信号の生成に使用される他のパラメータに他の値を使用することもできる。
【０１０７】
[0130]  その結果、一実施形態によれば、帯域セグメント化ブートストラップ信号４１１Ａ及び４１１Ｂは、１．１２２ＭＨｚ帯域幅を消費し、サブキャリア間隔ΔＦ＝３ｋＨｚを有することができる。更に、帯域セグメント化ブートストラップ信号４１１Ｃは、２．２５６ＭＨｚ帯域幅を消費し、サブキャリア間隔ΔＦ＝３ｋＨｚを有することができる。帯域セグメント化ブートストラップ信号４１１Ａ、４１１Ｂ、及び４１１Ｃの総帯域幅は、４．５ＭＨｚであり、これは、６ＭＨｚチャネルの有用帯域幅５．７１ＭＨｚ内部に収まることができ、４６０示されるように、エッジ間及びエッジ上のパディングとしてゼロサブキャリアを使用する。
【０１０８】
[0131]  幾つかの実施形態によれば、区分化ブートストラップ後信号４０３は、図２Ｄのシステム２６０を使用して生成することができる。
【０１０９】
[0132]  図４Ｃに示されるように、信号４６０は、３つの独立した区分化チャネルとして送受信することができる。換言すれば、帯域セグメント化ブートストラップ信号４１１Ａ、周波数区分化プリアンブルの第１の部分４１５Ａ、及び周波数区分化フレームペイロードの第１の部分４１７Ａは、１つのチャネルで送受信することができる。同様に、帯域セグメント化ブートストラップ信号４１１Ｂ、周波数区分化プリアンブルの第２の部分４１５Ｂ、及び周波数区分化フレームペイロードの第２の部分４１７Ｂは、別の独立したチャネルで送信することができる。帯域セグメント化ブートストラップ信号４１１Ｃ、周波数区分化プリアンブルの第３の部分４１５Ｃ、及び周波数区分化フレームペイロードの第３の部分４１７Ｃは、別の独立したチャネルで送信することができる。
【０１１０】
[0133]  幾つかの実施形態によると、帯域セグメント化ブートストラップ信号４１１Ａ〜Ｃの１つ又は複数は、４つのシンボルを含むことができる。しかしながら、帯域セグメント化ブートストラップ信号４１１Ａ〜Ｃは、４０３の発見のためのシグナリングを搬送することができる任意の他の数のシンボルを含むことができる。幾つかの実施形態では、帯域セグメント化ブートストラップ信号４１１Ａ〜Ｃは、ＯＦＤＭシンボルを含むことができる。追加又は代替として、区分化ブートストラップ後信号４０３はＯＦＤＭシンボルを含むことができる。
【０１１１】
[0134]  また、３つのみの帯域セグメント化ブートストラップ信号４１１Ａ〜Ｃが図４Ｃに示されているが、信号４６０は、任意の数のブートストラップ信号及び／又は帯域セグメント化ブートストラップ信号を含むことができる。上述したように、ブートストラップ信号及び／又は帯域セグメント化ブートストラップ信号の数は、ブートストラップ信号及び／又は帯域セグメント化ブートストラップ信号の帯域幅及び信号４６０の総帯域幅に依存することができる。
【０１１２】
[0135]  幾つかの実施形態によれば、上述したように、ＮＺＣは素数であることができるため、保護帯域（例えば、ゼロパディング）が帯域セグメント化ブートストラップ信号４１１Ａ〜Ｃの間に提供される。追加又は代替として、保護帯域は、幾つかの実施形態によれば、周波数区分化フレームペイロードの部分４１７Ａ〜Ｃの間に提供されない。
【０１１３】
[0136]  図５は、本開示の一実施形態による、周波数領域系列をサブキャリアにマッピングすること（５００）の例示である。幾つかの実施形態によれば、マッピング５００は、図２Ａのマッピングモジュール２１９によって実行することができる。
【０１１４】
[0137]  幾つかの実施形態によれば、直流（ＤＣ）サブキャリアにマッピングされるＺＣ系列値（すなわち、ｚｑ（（ＮＺＣ−１）／２））は、ＤＣサブキャリアがヌルであるように、ゼロに設定される。サブキャリアインデックスは、中心ＤＣサブキャリアがインデックス０を有する状態で示されている。ＺＣ系列とＰＮ系列との積は、ＤＣサブキャリアを中心として鏡映対称を有することができる。ＺＣ系列は、ＤＣサブキャリアを中心として自然鏡映対称を有することができる。ＤＣサブキャリアを中心としたＰＮ系列の鏡映対称性は、ＤＣサブキャリアの下のサブキャリアに割り当てられたＰＮ系列値をＤＣサブキャリアの上のサブキャリアに鏡面反射することによって導入することができる。例えば、サブキャリア−１及び＋１におけるＰＮ系列値は、サブキャリア−２及び＋２におけるＰＮ系列値と同様に、同一である。その結果、ＺＣ系列とＰＮ系列との積も、ＤＣサブキャリアを中心として鏡映反射を有することができる。
【０１１５】
[0138]  本明細書に記載される対称性により、よりロバストな信号が可能であり、発見を容易にする。特に、対称性は、発見の追加補助（例えば、追加の利得）として機能する。これは、受信機（例えば、図１の受信機１１２）が探すことができる信号の追加の特徴であり、発見を容易にする。したがって、雑音フロア未満であってもブートストラップ信号及び／又は帯域セグメント化ブートストラップ信号を認識できるようにする要素の１つである。
【０１１６】
[0139]  幾つかの実施形態によれば、マッピング５００は、図２Ａのマッピングモジュール２１９によって実行することができ、図３に関して考察した設計パラメータに基づいて作成されるブートストラップ信号に対してのものである。換言すれば、ＢＨ＝４．５ＭＨｚ、Ｆｓ＝６．１４４ＭＨｚ、ΔＦ＝３ｋＨｚ、ＦＦＴサイズ（ＮＦＦＴ）＝２０４８、及びＮＺＣ＝１４９９を有するブートストラップ信号に対して。一例では、マッピング５００は、ＡＴＳＣ３．０規格のＡ／３２１において採用されるサブキャリアマッピングを表す。
【０１１７】
[0140]  図６Ａは、本開示の一実施形態による、周波数領域系列をサブキャリアにマッピングすること（６００）の例示である。幾つかの実施形態によれば、マッピング６００は、図２Ｃのマッピングモジュール２１９によって実行することができる。幾つかの実施形態によれば、マッピング６００は、図５のマッピング５００と同様であるが、マッピング６００は、図４Ａの帯域セグメント化ブートストラップ信号４１１、図４Ｂの帯域セグメント化ブートストラップ信号４１１Ａ〜Ｅ、並びに図４Ｃの帯域セグメント化ブートストラップ信号４１１Ａ及び４１１Ｂに関して考察した設計パラメータに基づいて作成される帯域セグメント化ブートストラップ信号に対してのものであることができる。換言すれば、ＮＺＣ＝３７３及びＢＷ＝１．１２２ＭＨｚを有する帯域セグメント化ブートストラップ信号及びＦｓ＝１．５３６ＭＨｚ、ΔＦ＝３ｋＨｚ、ＦＦＴサイズ（ＮＦＦＴ）＝５１２を有する受信機デバイス（帯域セグメント化ブートストラップを受信する）に対して。
【０１１８】
[0141]  図６Ｂは、本開示の一実施形態による、周波数領域系列をサブキャリアにマッピングすること（６２０）の例示である。幾つかの実施形態によれば、マッピング６２０は、図２Ｃのマッピングモジュール２１９によって実行することができる。幾つかの実施形態によれば、マッピング６２０は、図５のマッピング５００及び図６Ａのマッピング６００と同様であるが、マッピング６２０は、図４Ｃの帯域セグメント化ブートストラップ信号４１１Ｃに関して考察した設計パラメータに基づいて作成される帯域セグメント化ブートストラップ信号に対してのものであることができる。換言すれば、ＮＺＣ＝７５１及びＢＷ＝２．２５６ＭＨｚを有する帯域セグメント化ブートストラップ信号及びＦｓ＝３．０７２ＭＨｚ、ΔＦ＝３ｋＨｚ、ＦＦＴサイズ＝１０２４を有する受信機デバイス（帯域セグメント化ブートストラップを受信する）に対して。
【０１１９】
[0142]  幾つかの例によれば、マッピング５００、６００、及び６２０が示すように、ブートストラップ信号及び／又は帯域セグメント化ブートストラップ信号のｎ番目のシンボル（０≦ｎ＜Ｎｓ）のサブキャリア値は、
[0143]  
【数４】
2019533402.tif 000006
として表現することができ、
[0144]  式中、
【数５】
2019533402.tif 000007
及びｃ（ｋ）＝１−２×ｐ（ｋ）であり、ｃ（ｋ）は＋１又は−１のいずれかを有する。図６Ａに示されるように、ＤＣサブキャリアでのマッピング値６０２はゼロである。サブキャリア＋１におけるマッピング値６０４はｓｎ（１）であることができる。また、サブキャリア＋２におけるマッピング値６０６はｓｎ（２）である。ＺＣ系列は各系列で同じであるが、ＰＮ系列は各シンボルで進むことを理解されたい。
【０１２０】
[0145]  一実施形態では、ブートストラップ信号及び／又は帯域セグメント化ブートストラップ信号内の最後のシンボルは、その特定のシンボルのサブキャリア値の位相反転（すなわち、１８０度の回転）によって示される。このブートストラップ及び／又は帯域セグメント化ブートストラップ終端シグナリングは、メジャー又はマイナーバージョン番号を変える必要なく、下位互換であるように、追加のシグナリング容量のためにブートストラップ信号及び／又は帯域セグメント化ブートストラップ信号内のシンボル数を増大させることができることにより、拡張性を可能にする。位相反転は単に、各サブキャリア値をｅｊπ＝−１で乗算することを含む。
[0146]  
【数６】
2019533402.tif 000008
【０１２１】
[0147]  位相反転により、受信機（図１の受信機１１２等）は、ブートストラップ信号及び／又は帯域セグメント化ブートストラップ信号の終点を正確に特定することができる。例えば、受信機は、受信機が設計されたマイナーバージョンよりも後であり、１つ又は複数のブートストラップシンボル及び／又は帯域セグメント化ブートストラップシンボルによって拡張されたマイナーバージョンのブートストラップ信号及び／又は帯域セグメント化ブートストラップ信号の終点を特定する。その結果、受信機は、固定数のブートストラップシンボル及び／又は帯域セグメント化ブートストラップシンボルを仮定する必要がない。加えて、受信機は、受信機が復号することがプロビジョニングされていないが、それでもなおシンボルの存在自体を検出するブートストラップシンボル及び／又は帯域セグメント化ブートストラップシンボルのシグナリングビットコンテンツを無視することができる。
【０１２２】
[0148]  マッピングされると、周波数領域系列は、例えば、ＩＦＦＴモジュール２２１を使用して時間領域に変換される。一例によれば、マッピング５００の周波数領域系列は、ＮＦＦＴ＝２０４８ポイントのＩＦＦＴモジュール２２１を使用して時間領域に変換される。別の例によれば、図４Ａ、図４Ｂ、及び図４Ｃに示されるように、結合帯域幅が５．７ＭＨｚ等のチャネル有用帯域幅未満である帯域セグメント化ブートストラップ信号の組合せは、上述したように、サンプリングレートＦｓ＝６．１４４ＭＨｚ及びＦＦＴサイズ２０４８を有するシステム２５０の共通ＩＦＦＴモジュール２２１を使用することができる。
【０１２３】
[0149]  ＩＦＦＴ２２１の複素値時間領域系列
【数７】
2019533402.tif 000009
は、以下のように提示することができる。
[0150]  
【数８】
2019533402.tif 000010
【０１２４】
[0151]  情報は、
【数９】
2019533402.tif 000011
時間領域系列の時間領域における巡回シフトの使用を通して、ブートストラップシンボル及び／又は帯域セグメント化ブートストラップシンボルを介してシグナリングされる。幾つかの実施形態によれば、巡回シフトモジュール２１７は、巡回シフトを生成するように構成される。上述したように、巡回シフトは周波数領域に適用することができ、次にこれは、ＩＦＦＴ２２１後、シグナリング情報の搬送に使用される時間領域における自己相関の遅延に変換され、又は巡回シフトは時間領域に直接適用することができ、これも、シグナリングの搬送に使用される自己相関の遅延を生じさせる。
【０１２５】
[0152]  幾つかの実施形態によれば、時間領域系列
【数１０】
2019533402.tif 000012
は、ＮＦＦＴ＝２０４８ポイントＩＦＦＴモジュール２２１を使用して生成される。この場合、時間領域系列
【数１１】
2019533402.tif 000013
は長さＮＦＦＴ＝２０４８を有する。したがって、シグナリングを可能にするために、受信機において検出される２０４８個の別個の巡回シフト又は自己相関の遅延（０から２０４７であって、０及び２０４７を含む）。２０４８個の可能な巡回シフトを用いて、最高でｌｏｇ２（２０４８）＝１１ビットをシグナリングすることができる。幾つかの実施形態によれば、これらのビットの全てが実際に使用されるわけではない。例えば、８ビットはシグナリングに使用することができ、残りのビットはエラーへの許容差として使用することができる。この例では、許容差は、周波数領域で言えば約２４ｋＨｚ（２０４８／２５６＊３０００Ｈｚ）であることができ、これは、時間領域では８サンプルＴｓ許容差に変換され、Ａ／３２１で使用される許容差と同じ設計パラメータである。一例では、
【数１２】
2019533402.tif 000014
は、ｎ番目のブートストラップシンボル（１≦ｎ＜Ｎｓ）に使用することができるシグナリングビット数を表し、
【数１３】
2019533402.tif 000015
はそれらのビットの値を表す。各有効シグナリングビット
【数１４】
2019533402.tif 000016
は、値０又は値１を有することができる。残りの各シグナリングビット
【数１５】
2019533402.tif 000017
は０に設定される。
【０１２６】
[0153]  幾つかの実施形態によれば、図４Ｃの時間領域系列
【数１６】
2019533402.tif 000018
４１１Ｃは、ＮＦＦＴ＝１０２４ポイントＦＦＴモジュールを有する受信機デバイスによって受信される。この場合、時間領域系列
【数１７】
2019533402.tif 000019
は長さＮＦＦＴ＝１０２４を有する。したがって、１０２４個の別個の巡回シフトが可能である（０から１０２３であって、０及び１０２３を含む）。１０２４個の可能な巡回シフトを用いて、最高で時間領域系列ｌｏｇ２（１０２４）＝１０ビットをシグナリングすることができる。幾つかの実施形態によれば、これらのビットの全てが実際に使用されるわけではない。例えば、７ビットはシグナリングに使用することができ、残りのビットはエラーへの許容差として使用することができる。この例では、許容差は、約２４ｋＨｚ（１０２４／１２８＊３０００Ｈｚ）であることができ、これは、Ａ／３２１で使用される許容差と同じ設計パラメータである。一例では、
【数１８】
2019533402.tif 000020
は、帯域セグメント化ブートストラップ信号のｎ番目のシンボル（１≦ｎ＜Ｎｓ）に使用することができるシグナリングビット数を表し、
【数１９】
2019533402.tif 000021
はそれらのビットの値を表す。各有効シグナリングビット
【数２０】
2019533402.tif 000022
は、値０又は値１を有することができる。残りの各シグナリングビット
【数２１】
2019533402.tif 000023
は０に設定される。
【０１２７】
[0154]  幾つかの実施形態によれば、図４Ｂ又は図４Ｃの時間領域系列
【数２２】
2019533402.tif 000024
４１１Ａは、ＮＦＦＴ＝５１２ポイントＦＦＴモジュールを有する受信機デバイスによって受信される。この場合、時間領域系列
【数２３】
2019533402.tif 000025
は長さＮＦＦＴ＝５１２を有する。したがって、５１２個の別個の巡回シフトが可能である（０から５１１であって、０及び５１１を含む）。５１２個の可能な巡回シフトを用いて、最高で時間領域系列ｌｏｇ２（５１２）＝９ビットをシグナリングすることができる。幾つかの実施形態によれば、これらのビットの全てが実際に使用されるわけではない。例えば、６ビットはシグナリングに使用することができ、残りのビットはエラーへの許容差として使用することができる。この例では、許容差は、約２４ｋＨｚ（５１２／６４＊３０００Ｈｚ）であることができ、これは、Ａ／３２１で使用される許容差と同じ設計パラメータである。一例では、
【数２４】
2019533402.tif 000026
は、帯域セグメント化ブートストラップ信号のｎ番目のシンボル（１≦ｎ＜Ｎｓ）に使用することができるシグナリングビット数を表し、
【数２５】
2019533402.tif 000027
はそれらのビットの値を表す。各有効シグナリングビット
【数２６】
2019533402.tif 000028
は、値０又は値１を有することができる。残りの各シグナリングビット
【数２７】
2019533402.tif 000029
は０に設定される。
【０１２８】
[0155]  巡回シフトモジュール２１７の動作について、例示的な一実施形態により、図２ＣのＮＦＦＴ＝２０４８ポイントＩＦＦＴモジュール２２１を使用して生成される帯域セグメント化ブートストラップ信号に関して以下に考察する。しかしながら、本開示の実施形態は、ＮＦＦＴ＝１０２４ポイントＩＦＦＴモジュール２２１を使用して生成される帯域セグメント化ブートストラップ信号及び／又はＮＦＦＴ＝５１２ポイントＩＦＦＴモジュール２２１を使用して生成されるブートストラップ信号に拡張することができる。
【０１２９】
[0156]  これもまたＡ／３２１を表す一実施形態では、帯域セグメント化ブートストラップ信号のｎ番目のシンボル（１≦ｎ＜Ｎｓ）の巡回シフトは、帯域セグメント化ブートストラップ信号の前のシンボルの巡回シフトに相対して、
【数２８】
2019533402.tif 000030
として表される。
【数２９】
2019533402.tif 000031
は、グレイコード法を使用して帯域セグメント化ブートストラップ信号のｎ番目のシンボルのシグナリングビット値から計算される。
【数３０】
2019533402.tif 000032
は、１組のビット
【数３１】
2019533402.tif 000033
として二進形式で表される。
【数３２】
2019533402.tif 000034
の各ビットは以下のように計算することができ、
[0157]  
【数３３】
2019533402.tif 000035
[0158]  式中、モジュロ演算に続くシグナリングビットの合算は実際には、問題となっているシグナリングビットに対して論理ＸＯＲ演算を実行する。
【０１３０】
[0159]  この方程式は、受信したブートストラップシンボル及び／又は帯域セグメント化ブートストラップ信号の受信シンボルの相対巡回シフトを推定する際、受信機における任意のエラーに最大許容差を提供するように、相対巡回シフト
【数３４】
2019533402.tif 000036
が計算されることを保証する。特定のブートストラップシンボル及び／又は帯域セグメント化ブートストラップ信号のシンボルの有効シグナリングビット
【数３５】
2019533402.tif 000037
の数が、同じメジャーバージョン内の将来のマイナーバージョンにおいて増大する場合でも、方程式は、その将来のマイナーバージョンシンボルの相対巡回シフトを計算することができることを保証する。その将来のマイナーバージョンシンボルの相対巡回シフトは、早期のマイナーバージョンに向けてプロビジョニングされた受信機がなお、復号がプロビジョニングされたシグナリングビット値を正確に復号できるように計算され、したがって、下位互換が維持される。
【０１３１】
[0160]  ｉ＜ｋである場合、シグナリングビット
【数３６】
2019533402.tif 000038
の予期されるロバスト性が、
【数３７】
2019533402.tif 000039
よりも大きくなることを理解されたい。
【０１３２】
[0161]  一実施形態では、ブートストラップ信号及び／又は帯域セグメント化ブートストラップ信号の最初のシンボルは、初期時間同期に使用され、ＺＣルート及びＰＮシードパラメータを介してメジャー及びマイナーバージョン番号をシグナリングする。このシンボルは、いかなる追加情報もシグナリングせず、したがって、幾つかの実施形態によれば、０の巡回シフトを有することができる。
【０１３３】
[0162]  ｎ番目のシンボルに適用される差動符号化絶対巡回シフト（０≦Ｍｎ＜ＮＦＦＴ）は、シンボルｎ−１の絶対巡回シフトとシンボルｎの相対巡回シフトとを合算し、時間領域系列の長さをモジュロ演算することによって計算される。
[0163]  
【数３８】
2019533402.tif 000040
【０１３４】
[0164]  次に、絶対巡回シフトを複素値時間領域系列に適用して、ＩＦＦＴ演算の出力からシフトされた時間領域系列を得る。
[0165]  
【数３９】
2019533402.tif 000041
【０１３５】
[0166]  シフトされた時間領域系列Ａｎ（ｔ）を生成する上記演算を図７にまとめる。図７は、本開示の一実施形態による方法７００を示すフローチャートである。例えば、方法７００は、ブートストラップ信号及び／又は帯域セグメント化ブートストラップ信号のｎ番目のシンボルの生成に使用される、シフトされた時間領域系列Ａｎ（ｔ）を生成することができる。一例では、方法７００は、システム１００、２００、及び／又は２５０によって実行される。全てのステップが必要なわけではなく、ステップが、図７に示されるのと同じ順序で実行されなくてもよいことを理解されたい。単に考察の便宜のために、システム２００及び２５０を参照する。当業者に理解されるように、方法の実行に他のシステムを使用することもできる。
【０１３６】
[0167]  ７０１において、マッピングモジュール２１９は、上述したように周波数領域信号
【数４０】
2019533402.tif 000042
を生成する。７０３において、周波数領域信号
【数４１】
2019533402.tif 000043
は、例えば、ＩＦＦＴモジュール２２１を使用して時間領域系列
【数４２】
2019533402.tif 000044
に変換される。７０５において、巡回シフトモジュール２１７は、入力としてシグナリングビットを使用して相対巡回シフト
【数４３】
2019533402.tif 000045
を生成する。７０７において、巡回シフトモジュール２１７は、シンボルｎ−１の絶対巡回シフトとシンボルｎの相対巡回シフトとを合算し、時間領域系列の長さをモジュロ演算することによって絶対巡回シフトＭｎを生成する。７０９において、絶対巡回シフトは時間領域系列
【数４４】
2019533402.tif 000046
に適用されて、シフトされた時間領域系列Ａｎ（ｔ）を得る。
【０１３７】
[0168]  図７は、巡回シフトが時間領域において適用される一実施形態を示すが、巡回シフトは、上述したように、周波数領域において適用することもできる。
【０１３８】
[0169]  図８Ａ及び図８Ｂのそれぞれ１つは、上述した帯域セグメント化ブートストラップ信号出力２２３（ＣＡＢ、ＢＣＡ）の受信シンボルの２つの時間領域構造（ＣＡＢ、ＢＣＡ）を示し、ここでは、本開示の幾つかの実施形態により、受信機並びに示されているサンプリングレートＦｓ及びＦＦＴに関して提示される。図８Ａでは、共通の周波数間隔ΔＦ＝３０００Ｈｚで、送信機のサンプリングレートＦｓは、４倍大きいレートである（受信機のサンプリングレートよりも）ことができ、送信機のＩＦＦＴモジュールのＦＦＴサイズは、４倍大きいサイズである（受信機のＦＦＴサイズよりも）ことができる。図８Ｂでは、本開示の幾つかの実施形態によれば、共通の周波数間隔ΔＦ＝３０００Ｈｚで、送信機のサンプリングレートＦｓは、２倍大きいレートである（受信機のサンプリングレートよりも）ことができ、送信機のＩＦＦＴモジュールのＦＦＴサイズは、２倍大きいサイズである（受信機のＦＦＴサイズよりも）ことができる。
【０１３９】
[0170]  図８Ａ及び図８Ｂの各実施形態は、示されるように低減されたＦｓ及びＦＦＴサイズを使用して、受信時、節電することができる受信機の観点から帯域セグメント化ブートストラップシンボルを示す。各シンボルは、モジュール２２３によって作成される３つの部分：Ａ、Ｂ、及びＣで構成され、ここで、これらの各部分は一連の複素値時間領域サンプルからなる。部分Ａは、適切な巡回シフトが適用された周波数領域構造のＩＦＦＴとしてＩＦＦＴモジュール２２１から導出され、一方、部分Ｂ及びＣは、部分Ｂのサンプルを計算するために周波数領域系列に周波数シフト±ｆΔ（サブキャリア間隔に等しい）及び可能な位相シフトｅ−ｊπが導入された、部分Ａからとられたサンプルで構成される。
【０１４０】
[0171]  一実施形態では、時間領域構造は２つのバリアント：ＣＡＢ及びＢＣＡを含む。同期検出のために提供される帯域セグメント化ブートストラップ信号の初期シンボル（すなわち、シンボル＃０）は、ＣＡＢバリアントを利用することができる。帯域セグメント化ブートストラップ信号の残りのシンボル（すなわち、シンボルｎ、但し１≦ｎ＜Ｎｓ）は、フィールドの終端を示すブートストラップシンボルまでであり、フィールドの終端を示すブートストラップシンボルを含むシグナリングデータを搬送するＢＣＡバリアントに準拠することができる。
【０１４１】
[0172]  両バリアントＣＡＢ及びＢＣＡを有することにより、受信機での相関が可能であるとともに、初期同期（ＣＡＢの発見）及び発見が改善し、その理由が、受信機がこの反復を特定の順序で予期することを知り、高雑音状況であっても信号をより容易に発見してロックするように設計された相関器又は検出器を有するためであることを理解されたい。
【０１４２】
[0173]  一実施形態によれば、受信機デバイス１１００等の受信機デバイスは、図８ＡのＣＡＢ構造８００を検出するようにサーチするよう構成することができる。ＣＡＢ構造８００は、図４Ａの帯域セグメント化ブートストラップ信号４１１等の帯域セグメント化ブートストラップ信号のシンボルに使用することができ、ｎ番目のシンボルの時間領域信号Ａｎ（ｔ）に基づく。この例では、部分Ａ  ８０１は、受信したＮＡ＝５１２個のサンプルを含む。部分Ｃ  ８０５は、部分Ａ  ８０１の最後のＮＣ＝１３０個のサンプル８０９を含む。部分Ｂ  ８０３は、部分Ａ  ８０１の計算に使用された元の周波数領域系列
【数４５】
2019533402.tif 000047
に周波数シフト＋ｆΔ及び位相シフトｅ−ｊπが適用された部分Ａ  ８０１の最後のＮＢ＝１２６個のサンプル８０７を含む。受信機は、相関器又は検出器を使用してこのＣＡＢ構造をサーチして、シンボル＃０を見つけてシンボル＃０に同期し、部分Ａ  ８０１を抽出して処理し、ブートストラッププロセスを開始するメジャーバージョン、マイナーバージョン等を発見する。
【０１４３】
[0174]  図８Ａのこの例では、受信機サンプリング周期Ｔｓ＝１／ｆｓ＝１／１．５３６ＭＨｚであり、ＦＦＴサイズは５１２であり、これらは両方とも、図２Ｃの送信機のものの１／４であり、節電及び狭帯域受信を可能にする。また、帯域セグメント化ブートストラップのシンボルのＣＡＢ構造８００の長さは、５００μｓであり、ΔＦ＝３０００Ｈｚを有する送信機と同じである。
【０１４４】
[0175]  この例によれば、受信機デバイス１１００等の受信機デバイスは、図８ＡのＢＣＡ時間領域構造８２０を検出するように構成することができる。ＢＣＡ構造８２０は、上述したように、巡回シフトによって搬送されるシグナリング情報を有し、図４Ａ〜図４Ｃの帯域セグメント化ブートストラップ信号４１１等の帯域セグメント化ブートストラップ信号のシンボルに使用することができ、ｎ番目のシンボルの時間領域信号Ａｎ（ｔ）に基づく部分Ａを有する。この例では、部分Ａ  ８２１はＮＡ＝５１２個のサンプルを含む。部分Ｃ  ８２５は、部分Ａ  ８２１の最後のＮＣ＝１３０個のサンプル８２９を含む（例えば、部分Ａ  ８２１の最後のＮＣ＝１３０個のサンプル８２９として生成される）。部分Ｂ  ８２３は、部分Ａ  ８２１の計算に使用された元の周波数領域系列
【数４６】
2019533402.tif 000048
に周波数シフト−ｆΔが適用された部分Ａ  ８０１のＮＢ＝１２６個のサンプル８２７を含む（例えば、部分Ａ  ８０１のＮＢ＝１２６個のサンプル８２７として生成される）。
【０１４５】
[0176]  図８Ａのこの例では、受信機サンプリング周期Ｔｓ＝１／ｆｓ＝１／１．５３６ＭＨｚであり、ＦＦＴサイズは５１２である。また、帯域セグメント化ブートストラップのシンボルのＢＣＡ構造８２０の長さは、５００μｓであり、ΔＦ＝３０００Ｈｚを有する送信機と同じである。ＢＣＡ構造が検出されると、部分Ａを使用して、上述したようにシグナリング情報を搬送する巡回シフトを有する自己相関を検出する。
【０１４６】
[0177]  別の実施形態によれば、受信機デバイス１１００等の受信機デバイスは、図８ＢのＣＡＢ構造８４０を検出するように構成することができる。構造８４０は、図４Ｃの帯域セグメント化ブートストラップ信号４１１Ｃ等の帯域セグメント化ブートストラップ信号のシンボルに使用することができ、ｎ番目のシンボルの時間領域信号Ａｎ（ｔ）に基づく。
【０１４７】
[0178]  幾つかの実施形態によれば、受信ＣＡＢ構造８４０は図８ＡのＣＡＢ構造８００と同様であり、相関技法を使用した検出が使用される。しかしながら、ＣＡＢ構造８４０の部分Ａ  ８４１、部分Ｂ  ８４３、及び部分Ｃ  ８４５の長さは、図８ＡのＣＡＢ構造８００の各部分と異なる。例えば、受信ＣＡＢ構造８４０の部分Ａ  ８４１は１０２４個のサンプルを有し、構造８４０の部分Ｂ  ８４３は２５２個のサンプルを有し、ＣＡＢ構造８４０の部分Ｃ  ８４５は２６０個のサンプルを有する。更に、ＣＡＢ構造８４０の受信機サンプリング周波数（ひいてはサンプリング周期）は、図８ＡのＣＡＢ構造８００の受信機サンプリング周波数と異なる。受信機は、相関器又は検出器を使用してこのＣＡＢ構造をサーチし、シンボル＃０を見つけてシンボル＃０に同期し、部分Ａを処理して、ブートストラッププロセスを開始するメジャーバージョン、マイナーバージョン等を発見する。例えば、ＣＡＢ構造の受信機サンプリング周期Ｔｓ＝１／ｆｓ＝１／３．０７２ＭＨｚ、ＦＦＴサイズ１０２４、これらは両方とも、上述した送信機のものの１／２であり、節電及び８４０の狭帯域受信を可能にする。帯域セグメント化ブートストラップのシンボルのＣＡＢ構造８４０の長さは、５００μｓであり、ΔＦ＝３０００Ｈｚを有する送信機と同じである。
【０１４８】
[0179]  幾つかの実施形態によれば、受信ＢＣＡ構造８６０は、図８ＡのＢＣＡ構造８２０と同様である。しかしながら、ＢＣＡ構造８６０の部分Ａ  ８６１、部分Ｂ  ８６３、及び部分Ｃ  ８６５の長さは、図８ＡのＢＣＡ構造８２０の各部分と異なる。例えば、受信ＢＣＡ構造８６０の部分Ａ  ８６１は１０２４個のサンプルを有し、構造８６０の部分Ｂ  ８６３は２５２個のサンプルを有し、ＢＣＡ構造８６０の部分Ｃ  ８６５は２６０個のサンプルを有する。ＢＣＡ構造が検出されると、部分Ａを使用して、上述したようにシグナリング情報を搬送する巡回シフトを有する自己相関を検出する。更に、ＢＣＡ構造８６０の受信機サンプリング周波数（ひいてはサンプリング周期）は、図８ＡのＢＣＡ構造８２０の受信機サンプリング周波数と異なる。例えば、受信機サンプリング周期Ｔｓ＝１／ｆｓ＝１／３．０７２ＭＨｚ、ＦＦＴサイズ１０２４、これらは両方とも、上述した送信機のものの１／２であり、節電及びＢＣＡ構造８６０の狭帯域受信を可能にする。帯域セグメント化ブートストラップのシンボルのＢＣＡ構造８６０の長さは、５００μｓであり、ΔＦ＝３０００Ｈｚを有する送信機と同じである。
【０１４９】
[0180]  図９Ａ〜図９Ｅは、本開示の幾つかの実施形態による、信号が送信のために時間領域に変換される前の帯域セグメント化ブートストラップ信号及び区分化ブートストラップ後信号の両方を含む信号を示す。
【０１５０】
[0181]  図９Ａは、信号が時間領域に変換される前の信号９００を示す。信号９００は、帯域セグメント化ブートストラップ信号９１１及び区分化ブートストラップ後信号９０３を含む。区分化ブートストラップ後信号９０３は、プリアンブル９１５及びペイロード９１７を含むことができる。信号９００の帯域セグメント化ブートストラップ信号９１１及び区分化ブートストラップ後信号９０３は、図４Ｂの部分４１５Ａ〜Ｅ及び部分４１７Ａ〜Ｅで構成される帯域セグメント化ブートストラップ信号４１１Ａ〜Ｅ及び区分化ブートストラップ後信号４０３と同様である。信号９００のこの例では、帯域幅は、帯域セグメント化ブートストラップ信号９１１の場合は１．１２２ＭＨｚであり、プリアンブル９１５及びペイロード９１７で構成される区分化ブートストラップ後信号９０３の場合は１．１４ＭＨｚである。上述したように、ＤＣは帯域セグメント化ブートストラップ信号９１１においてセンタリングすることができ、帯域セグメント化ブートストラップ信号９１１は、区分化ブートストラップ後信号９０３と位置合わせして、受信のための狭帯域チャネルを作成することができる。この例では、ブートストラップ後信号９０３は、いかなるパイロットも有さない。
【０１５１】
[0182]  図９Ｂは、信号が時間領域に変換される前の信号９２０を示す。信号９２０は、帯域セグメント化ブートストラップ信号９１１及び区分化ブートストラップ後信号９２３を含む。区分化ブートストラップ後信号９２３は、プリアンブル９３５及びペイロード９３７を含むことができる。信号９２０の帯域セグメント化ブートストラップ信号９１１及び区分化ブートストラップ後信号９２３は、図４Ｂの部分４１５Ａ〜Ｅ及び部分４１７Ａ〜Ｅで構成される帯域セグメント化ブートストラップ信号４１１Ａ〜Ｅ及び区分化ブートストラップ後信号４０３と同様である。この例では、帯域幅は、帯域セグメント化ブートストラップ信号９１１の場合は１．１４ＭＨｚであり、区分化ブートストラップ後信号９２３の場合は１．１４ＭＨｚである。上述したように、ＤＣは帯域セグメント化ブートストラップ信号９１１においてセンタリングすることができ、帯域セグメント化ブートストラップ信号９１１は、区分化ブートストラップ後信号９２３と位置合わせされる。この例では、区分化ブートストラップ後信号９２３のプリアンブル９３５は、プリアンブルパイロット９２９を含むことができる。一実施形態によれば、プリアンブルパイロット９２９は高密度パイロットパターンを有することができる。プリアンブルパイロット９２９は、受信機により使用されて、正確なチャネル推定及びプリアンブルで搬送される制御シグナリングの復号をサポートすることができる。
【０１５２】
[0183]  図９Ｃは、信号が時間領域に変換される前の信号９４０を示す。信号９４０は、帯域セグメント化ブートストラップ信号９１１及び区分化ブートストラップ後信号９４３を含む。区分化ブートストラップ後信号９４３は、プリアンブル９５５及びペイロード９５７を含むことができる。信号９４０の帯域セグメント化ブートストラップ信号９１１及び区分化ブートストラップ後信号９４３は、図４Ｂの部分４１５Ａ〜Ｅ及び部分４１７Ａ〜Ｅで構成される帯域セグメント化ブートストラップ信号４１１Ａ〜Ｅ及び区分化ブートストラップ後信号４０３と同様である。この例では、帯域幅は、帯域セグメント化ブートストラップ信号９１１の場合は１．１２２ＭＨｚであり、区分化ブートストラップ後信号９４３の場合は１．１４ＭＨｚである。上述したように、ＤＣは帯域セグメント化ブートストラップ信号９１１においてセンタリングすることができ、帯域セグメント化ブートストラップ信号９１１は、区分化ブートストラップ後信号９４３と位置合わせされる。この例では、区分化ブートストラップ後信号９４３のプリアンブル９５５は、プリアンブルパイロット９４９を含むことができる。更に、区分化ブートストラップ後信号９４３のペイロード９５７は、ペイロード区分の境界に配置されたエッジパイロット９５１を含むことができる。エッジパイロット９５１は、受信機におけるチャネル推定及び／又は周波数追跡を支援することができる。例えば、エッジパイロット９５１は、チャネル区分エッジまでチャネルを推定できるようにする。
【０１５３】
[0184]  図９Ｄは、信号が時間領域に変換される前の信号９６０を示す。信号９６０は、帯域セグメント化ブートストラップ信号９１１及び区分化ブートストラップ後信号９６３を含む。区分化ブートストラップ後信号９６３は、プリアンブル９７５及びペイロード９７７を含むことができる。信号９６０の帯域セグメント化ブートストラップ信号９１１及び区分化ブートストラップ後信号９６３は、図４Ｂの部分４１５Ａ〜Ｅ及び部分４１７Ａ〜Ｅで構成される帯域セグメント化ブートストラップ信号４１１Ａ〜Ｅ及び区分化ブートストラップ後信号４０３と同様である。この例では、帯域幅は、帯域セグメント化ブートストラップ信号９１１の場合は１．１２２ＭＨｚであり、区分化ブートストラップ後信号９６３の場合は１．１４ＭＨｚである。上述したように、ＤＣは帯域セグメント化ブートストラップ信号９１１においてセンタリングすることができ、帯域セグメント化ブートストラップ信号９１１は、区分化ブートストラップ後信号９６３と位置合わせされる。この例では、区分化ブートストラップ後信号９６３のプリアンブル９７５は、プリアンブルパイロット９６９を含むことができる。更に、区分化ブートストラップ後信号９６３のペイロード９７７は、ペイロード区分の境界に配置されたエッジパイロット９７１を含むことができる。更に、区分化ブートストラップ後信号９６３のペイロード９７７は、散乱パイロット９７３を含むことができる。散乱パイロット９７３もまた、受信機におけるチャネル推定及び／又は周波数追跡を支援することができる。
【０１５４】
[0185]  図９Ｅは、信号が時間領域に変換される前の信号９８０を示す。信号９８０は、帯域セグメント化ブートストラップ信号９１１及び区分化ブートストラップ後信号９８３を含む。区分化ブートストラップ後信号９８３は、プリアンブル９９５及びペイロード９９７を含むことができる。信号９８０の帯域セグメント化ブートストラップ信号９１１及び区分化ブートストラップ後信号９８３は、図４Ｂの部分４１５Ａ〜Ｅ及び部分４１７Ａ〜Ｅで構成される帯域セグメント化ブートストラップ信号４１１Ａ〜Ｅ及び区分化ブートストラップ後信号４０３と同様である。この例では、帯域幅は、帯域セグメント化ブートストラップ信号９１１の場合は１．１２２ＭＨｚであり、区分化ブートストラップ後信号９８３の場合は１．１４ＭＨｚである。上述したように、ＤＣは帯域セグメント化ブートストラップ信号９１１においてセンタリングすることができ、帯域セグメント化ブートストラップ信号９１１は、区分化ブートストラップ後信号９８３と位置合わせされる。この例では、区分化ブートストラップ後信号９８３のプリアンブル９９５は、プリアンブルパイロット９８９を含むことができる。更に、区分化ブートストラップ後信号９８３のペイロード９９７は、ペイロード区分の境界に配置されたエッジパイロット９９１を含むことができる。更に、区分化ブートストラップ後信号９８３のペイロード９９７は、散乱パイロット９９３を含むことができる。加えて、区分化ブートストラップ後信号９８３のプリアンブル９９５及びペイロード９９７は、連続パイロット９９４を含むことができる。連続パイロット９９４は、プリアンブル９９４ｚ及びペイロード９９７において同じ周波数ロケーションに存在することができる。連続パイロット９９４は、受信機での周波数追跡を可能にする。
【０１５５】
[0186]  図１０は、本開示の幾つかの実施形態による複数のデータフレームを含む信号を示す。幾つかの実施形態によれば、信号１０００は、図１のブロードキャストネットワーク１０６及び／又はゲートウェイ１０８等の送信機を使用して１つ又は複数の受信機に送信することができる。
【０１５６】
[0187]  信号１０００は、１つ又は複数のデータフレームを含むことができる。例えば、信号１０００は、ブートストラップ信号１００１Ａ〜１００１Ｄ及び１つ又は複数の対応するブートストラップ後信号１００３Ａ〜１００３Ｄを含むことができる。更に、信号１０００は、１つ又は複数の帯域セグメント化ブートストラップ信号１００５及び１つ又は複数の対応する区分化ブートストラップ後信号１００７を含むことができる。幾つかの実施形態によれば、帯域セグメント化ブートストラップ信号１００５及び区分化ブートストラップ後信号１００７は、本開示の実施形態により考察した構造及び設計を有する。図１０に示されるように、１つ又は複数のブートストラップ信号１００１Ａ〜１００１Ｄ及び１つ又は複数の対応するブートストラップ後信号１００３Ａ〜１００３Ｄは、例えば、時分割多重化を使用して、１つ又は複数の帯域セグメント化ブートストラップ信号１００５及び対応する１つ又は複数の区分化ブートストラップ後信号１００７に多重化することができる。したがって、信号１０００は、異なるアプリケーションを使用し、異なる電力レベルを使用し、異なる帯域幅等を使用して、異なる受信機に送信することができる。
【０１５７】
[0188]  １つ又は複数のブートストラップ信号１００１Ａ〜１００１Ｄ及び１つ又は複数の対応するブートストラップ後信号１００３Ａ〜１００３Ｄ及び／又は１つ又は複数の帯域セグメント化ブートストラップ信号１００５及び１つ又は複数の対応する区分化ブートストラップ後信号１００７を使用することにより、図１のシステム１００は、新しいビジネスモデル、新しい用途、及びサービス進化をサポートすることができる。ＡＴＳＣ３．０規格は、ブートストラップ信号１００１Ａ〜１００１Ｄ及びブートストラップ後信号１００３Ａ〜１００３Ｄを表すことができ、これらのデータフレームは、帯域セグメント化ブートストラップ１００５及び区分化ブートストラップ後信号１００７に多重化して、新しい受信機デバイス及びサービス並びに新しいビジネスモデルを導入することができる。
【０１５８】
[0189]  幾つかの実施形態によれば、１つ又は複数の受信機デバイス（図１の受信機１１２等）は、信号１０００を受信するように構成される。どのデータフレームが受信機デバイスにアドレス指定されるかに応じて、受信機デバイスは、受信機デバイスにアドレス指定されたデータを復号するように構成される。例えば、第１の受信機デバイスは、ブートストラップ信号１００１Ｂ及び対応するブートストラップ後信号１００３Ｂを受信し、ブートストラップ信号１００１Ｂ内の情報を使用して、対応するブートストラップ後信号１００３Ｂと同期し、復号するように構成することができる。
【０１５９】
[0190]  追加又は代替として、第２の受信機デバイスは、帯域セグメント化ブートストラップ信号１００５の第１のセグメントを受信するように調整され、第１のセグメントを受信するように構成される。この第２の受信機は、帯域セグメント化ブートストラップ信号１００５の受信したセグメント内の情報を使用して、区分化ブートストラップ後信号１００７の対応するセグメント内のデータと同期し復号することができる。この例では、第３の受信機デバイスは、帯域セグメント化ブートストラップ信号１００５の第２のセグメントを受信するように調整され、第２のセグメントを受信するように構成することができる。この第３の受信機は、帯域セグメント化ブートストラップ信号１００５の受信した第２のセグメント内の情報を使用して、区分化ブートストラップ後信号１００７の対応するセグメント内のデータと同期し復号することができる。帯域セグメント化ブートストラップ信号及び区分化ブートストラップ後信号を使用することにより、受信機デバイスは、複雑性の低い回路／モジュールを有することができる。例えば、帯域セグメント化ブートストラップ信号及び区分化ブートストラップ後信号を使用することは、受信機での低帯域幅、低サンプリング、小さなＦＦＴサイズ、及び／又は低消費電力に繋がることができる。
【０１６０】
[0191]  図１１は、本開示の一実施形態による例示的な受信機デバイスを示す。図１１の受信機デバイス１１００は、受信機１１２又は受信機１１２の一部として使用することができる。図１１に示される回路及びモジュールは例示的な回路及びモジュールであり、受信機デバイス１１００は他の回路を含むこともできる。
【０１６１】
[0192]  一実施形態によれば、受信機デバイス１１００は、限定ではなく、以下を含むことができる：携帯電話、スマートフォン、個人情報端末（ＰＤＡ）、ナビゲーションデバイス、ポータブルコンピュータ、インターネット・オブ・シングス（ＩｏＴ）、ウェアラブルデバイス、センサネットワーク等。
【０１６２】
[0193]  一実施形態によれば、受信機デバイス１１００は、信号を受信するように構成されるアンテナ１１０１を含むことができる。一実施形態では、受信機デバイス１１００のアンテナ１１０１によって受信される信号は、図１０の信号１０００を含むことができる。例えば、受信機デバイス１１００のアンテナ１１０１によって受信される信号は、１つ又は複数のブートストラップ信号及び１つ又は複数の対応するブートストラップ後信号及び／又は１つ又は複数の帯域セグメント化ブートストラップ信号及び１つ又は複数の対応する区分化ブートストラップ後信号を含むことができる。受信機デバイス１１００は、受信信号をアナログからデジタルに変換するアナログ／デジタル変換器１１０３を含むことができる。示されていないが、受信機デバイス１１００は、限定ではなく、無線周波数（ＲＦ）フロントエンド等の他の回路及び／又はモジュールをアンテナ１１０１とアナログ／デジタル変換器１１０３との間に含むこともできる。
【０１６３】
[0194]  受信機デバイス１１００はフィルタ１１０５を更に含むことができる。フィルタ１１０５は、デジタル信号を受信し、所定の周波数範囲のデジタル信号を通す。例えば、フィルタ１１０５はバンドパスフィルタを含むことができる。幾つかの実施形態によれば、フィルタ１１０５のパラメータは、受信機デバイス１１００が調整されるチャネルに依存することができる。したがって、受信機デバイス１１００は、受信機デバイス１１００に送信されたものではない帯域セグメント化ブートストラップ及び区分化ブートストラップ後のセグメントをフィルタリングして除外するように構成することができる。換言すれば、受信機デバイス１１００は、受信機デバイス１１００が意図された帯域セグメント化ブートストラップ及び区分化ブートストラップ後のセグメントを透過するように構成することができる。受信機デバイス１１００が意図された帯域セグメント化ブートストラップのセグメントを使用して、受信機デバイス１１００は、同期し、対応する区分化ブートストラップ後を受信し、受信した対応する区分化ブートストラップ後を復号するように構成される。
【０１６４】
[0195]  一実施形態によれば、受信機デバイス１１００は、フィルタリングされた信号を受信するように構成されるＦＦＴモジュール１１０７を含むことができる。ＦＦＴモジュール１１０７を使用して、受信機デバイス１１００は、フィルタリングされた信号を時間領域から周波数領域に変換することができる。帯域セグメント化ブートストラップ信号（及び対応する区分化ブートストラップ後信号）を使用するため、受信機デバイス１１００は、より小さなＦＦＴサイズのＦＦＴモジュール１１０７を含むことができる。帯域セグメント化ブートストラップ信号及び区分化ブートストラップ後信号の使用により、低帯域幅、低サンプリング、小さなＦＦＴサイズ、及び／又は低消費電力を使用する受信機デバイス１１００を生成することができる。
【０１６５】
[0196]  幾つかの実施形態によれば、受信機１１００を宛先とした帯域セグメント化ブートストラップ信号のセグメントを受信し復号するために、ＦＦＴモジュール１１０７は、ＦＦＴサイズ５１２を使用することができ、受信機１１００は、サンプリングレート１．５３６ＭＨｚ及び周波数間隔３ｋＨｚで動作することができる。幾つかの実施形態では、ＦＦＴモジュール１１０７は、ＦＦＴサイズ１０２４を使用することができ、受信機１１００は、サンプリングレート３．０７２ＭＨｚ及び周波数間隔３ｋＨｚで動作することができる。幾つかの実施形態では、ＦＦＴモジュール１１０７は、ＦＦＴサイズ２０４８を使用することができ、受信機１１００は、サンプリングレート６．１４４ＭＨｚ及び周波数間隔３ｋＨｚで動作することができる。
【０１６６】
[0197]  幾つかの実施形態によれば、受信機１１００を宛先とした帯域セグメント化ブートストラップ信号のセグメントに対応する区分化ブートストラップ後信号のセグメントを受信し復号するために、ＦＦＴモジュール１１０７は、ＦＦＴサイズ２０４８を使用することができ、受信機１１００は、サンプリングレート１．７２８ＭＨｚ及び周波数間隔８４３．７５Ｈｚで動作することができる。
【０１６７】
[0198]  受信機デバイス１１００は、復調器回路／モジュール１１０９を更に含むことができる。復調器１１０９は、周波数領域系列をＦＦＴモジュール１１０７から受信し、変調信号からデータを回復することができる。復調信号は、ＦＥＣデコーダ１１１１を通って出力信号１１１３を生成することができる。
【０１６８】
[0199]  図１２Ａは、本開示の一実施形態による方法１２００を示すフローチャートである。例えば、方法１２００は、幾つかの実施形態により、１つ又は複数の帯域セグメント化ブートストラップ信号及び１つ又は複数の対応する区分化ブートストラップ後信号を生成することができる。一実施形態では、方法１２００は、システム１００、２００、及び／又は２６０によって実行される。全てのステップが必要なわけではなく、ステップが、図１２Ａに示されるのと同じ順序で実行されなくてもよいことを理解されたい。単に考察の便宜のために、図２Ｃ及び図２Ｄのシステム２５０及び２６０を参照する。当業者に理解されるように、方法の実行に他のシステムを使用することもできる。
【０１６９】
[0200]  １２０１において、システム２５０の一分岐、例えば、システム２５０の分岐２４３ａは、第１の組のシンボルを生成する。第１の組のシンボルは、帯域セグメント化信号の第１のセグメントを含むことができる。このステップ１２０１において、例えば、図２Ｄのシステム２６０の一分岐は、第２の組のシンボルを生成する。第２の組のシンボルは、帯域セグメント化信号の第１のセグメントに対応する区分化ブートストラップ後信号の第１のセグメントを含むことができる。一実施形態によれば、第１の組のシンボルにおける各シンボルは、第１の複数のサブキャリアを含み、第２の組のシンボルにおける各シンボルは、第２の複数のサブキャリアを含み、第１の複数のサブキャリアは、第２の複数のサブキャリアのサブセットであることができる。また、第１の組のシンボルは、第２の組のシンボルについての情報を含む。第１の組のシンボルは、受信機での初期同期及び復号を容易にすることができる。
【０１７０】
[0201]  １２０３において、システム２５０の一分岐、例えば、システム２５０の分岐２４３ｂは、第３の組のシンボルを生成する。第３の組のシンボルは、帯域セグメント化信号の第２のセグメントを含むことができる。このステップ１２０３において、例えば、図２Ｄのシステム２６０の一分岐は、第４の組のシンボルを生成する。第４の組のシンボルは、帯域セグメント化信号の第２のセグメントに対応する区分化ブートストラップ後信号の第２のセグメントを含むことができる。一実施形態によれば、第３の組のシンボルにおける各シンボルは、第３の複数のサブキャリアを含み、第４の組のシンボルにおける各シンボルは、第４の複数のサブキャリアを含み、第１の複数のサブキャリアは、第２の複数のサブキャリアのサブセットであることができる。また、第３の組のシンボルは、第４の組のシンボルについての情報を含む。幾つかの実施形態によれば、第１の複数のサブキャリアは、第３の複数のサブキャリアと異なり、第２の複数のサブキャリアは、第４の複数のサブキャリアと異なる。第３の組のシンボルは、受信機での初期同期及び復号を容易にすることができる。
【０１７１】
[0202]  １２０５において、システム２５０及び２６０は（例えば、マッピングモジュール２１９及びＩＦＦＴモジュール２２１及び／又はＩＦＦＴ２７３を使用して）第１の組、第２の組、第３の組、及び第４の組のシンボルを含むデータフレームを生成する。例えば、システム２５０は、第１の組のシンボルと第３の組のシンボル（帯域セグメント化ブートストラップ信号の第１及び第２のセグメント）とを結合して、帯域セグメント化ブートストラップ信号を生成するように構成される。例えば、システム２６０は、第２の組のシンボルと第４の組のシンボル（区分化ブートストラップ後信号の第１及び第２のセグメント）とを結合して、区分化ブートストラップ後信号を生成するように構成される。
【０１７２】
[0203]  幾つかの実施形態によれば、生成されるデータフレームは、帯域セグメント化ブートストラップ信号及び対応する区分化ブートストラップ後信号を含む。また、データフレームは、第１及び／又は第２の複数のサブキャリアを含む第１のセグメントと、第３及び／又は第４の複数のサブキャリアを含む第２のセグメントとを含むことができる。上述したように、第１の複数のサブキャリアは、第２の複数のサブキャリアのサブセットであることができる。そして、第３の複数のサブキャリアは、第４の複数のサブキャリアのサブセットであることができる。
【０１７３】
[0204]  図１２Ｂは、本開示の一実施形態による方法１２２０を示すフローチャートである。例えば、方法１２２０は、幾つかの実施形態により、１つ又は複数の帯域セグメント化ブートストラップ信号を生成することができる。一例では、方法１２２０は、システム１００、２００、及び／又は２５０によって実行される。全てのステップが必要なわけではなく、ステップが、図１２Ｂに示されるのと同じ順序で実行されなくてもよいことを理解されたい。単に考察の便宜のために、図２Ａ及び図２Ｃのシステム２００及び２５０を参照する。当業者に理解されるように、方法の実行に他のシステムを使用することもできる。
【０１７４】
[0205]  １２２１において、ＺＣ系列生成器２０７は、ルートインデックス値に基づいてＺＣ系列（例えば、定振幅零自己相関系列）を生成することができる。幾つかの実施形態によれば、定振幅零自己相関系列は、サンプル７５１個分又は３７３個分の長さを有することができる。しかしながら、低振幅零自己相関系列に他の長さを使用することもできる。幾つかの実施形態によれば、上述したように、巡回シフトモジュール２１７は、巡回シフトを低振幅零自己相関系列に適用するように構成される。追加又は代替として、巡回シフトは、ステップ１２２９において、時間領域において適用される。
【０１７５】
[0206]  １２２３において、ＰＮ系列生成器２０５は、シード値に基づいて疑似雑音系列を生成することができる。１２２５において、変調器２０９は、疑似雑音系列によって定振幅零自己相関系列（又は定振幅零自己相関系列を巡回シフトさせたもの）を変調して、複素系列を生成していることができる。１２２７において、ＩＦＦＴモジュール２２１は、複素系列を時間領域系列に変換することができる。幾つかの実施形態によれば、ＩＦＦＴモジュール２２１は、長さ１０２４又は５１２を有する逆高速フーリエ変換（ＩＦＦＴ）を使用することができる。しかしながら、ＩＦＦＴモジュール２２１に他の長さを使用することもできる。１２２９において、巡回シフトモジュール２１７は、巡回シフトを時間領域系列に適用して、シフトされた時間領域系列を得ることができる。
【０１７６】
[0207]  図１２Ｃは、本開示の一実施形態による方法１２４０を示すフローチャートである。例えば、方法１２４０は、幾つかの実施形態により、１つ又は複数の帯域セグメント化ブートストラップ信号及び／又は１つ又は複数の区分化ブートストラップ後信号を受信し復号することができる。一例では、方法１２４０は、図１１の受信機デバイス１１００によって実行される。全てのステップが必要なわけではなく、ステップが、図１２Ｃに示されるのと同じ順序で実行されなくてもよいことを理解されたい。単に考察の便宜のために、図１１の受信機デバイス１１００を参照する。当業者に理解されるように、方法の実行に他のシステムを使用することもできる。
【０１７７】
[0208]  １２４１において、受信機デバイス１１００は、例えば、アンテナ１１０１を使用してデータフレームを受信する。一実施形態によれば、受信されるデータフレームは、図１０の信号１０００を含むことができる。例えば、受信機デバイス１１００のアンテナ１１０１によって受信される信号は、例えば、図１２Ａの方法１２００によって生成されたデータフレームを含むことができる。換言すれば、受信機デバイス１１００のアンテナ１１０１によって受信される信号は、１つ又は複数のブートストラップ信号及び１つ又は複数の対応するブートストラップ後信号及び／又は１つ又は複数の帯域セグメント化ブートストラップ信号及び１つ又は複数の対応する区分化ブートストラップ後信号を含むことができる。
【０１７８】
[0209]  １２４３において、受信機デバイス１１００は、例えば、アナログ／デジタル変換器１１０３を使用して、受信データフレームをアナログからデジタルに変換することができる。１２４５において、受信機デバイス１１００は、例えば、フィルタ１１０５を使用して、変換されたデータフレームの帯域幅の第１のセグメントを選択することができる。換言すれば、フィルタ１１０５は、所定の周波数範囲のデジタル信号を通すことができる。
【０１７９】
[0210]  １２４７において、受信機デバイス１１００は、例えば、ＦＦＴモジュール１１０７を使用して、フィルタリングされ他信号（例えば、選択された第１のセグメント）を時間領域から周波数領域に変換することができる。１２４９において、受信機デバイス１１００は、例えば、復調器回路／モジュール１１０９を使用して、周波数領域信号を復調し、変調信号からデータを回復し、出力信号を生成することができる。したがって、受信機デバイス１１００は、幾つかの実施形態により、１つ又は複数のブートストラップ信号及び１つ又は複数の対応するブートストラップ後信号及び／又は１つ又は複数の帯域セグメント化ブートストラップ信号及び１つ又は複数の対応する区分化ブートストラップ後信号を復号することができる。
【０１８０】
[0211]  様々な実施形態は、例えば、図１３に示されるコンピュータシステム１３００等の１つ又は複数のコンピュータシステムを使用して実施することができる。コンピュータシステム１３００は、例えば、限定ではなく、図７の方法７００、図１２Ａの方法１２００、及び／又は図１２Ｂの方法１２２０等の本開示で考察された方法を実施するのに使用することができる。例えば、コンピュータシステム１３００は、幾つかの実施形態により、１つ又は複数のブートストラップ信号及び１つ又は複数の対応するブートストラップ後信号及び／又は１つ又は複数の帯域セグメント化ブートストラップ信号及び１つ又は複数の対応する区分化ブートストラップ後信号を生成、送信、受信、及び／又は復号することができる。例えば、システム１００、２００、及び／又は２６０の１つ又は複数は、コンピュータシステム１３００を使用して実施することができる。一例では、ゲートウェイ１０８及び／又はブロードキャストネットワーク１０６における送信機は、コンピュータシステム１３００を使用して実施することができる。コンピュータシステム１３００は、本明細書に記載される機能を実行可能な任意のコンピュータであることができる。
【０１８１】
[0212]  コンピュータシステム１３００は、本明細書に記載される機能を実行可能な任意の周知のコンピュータであることができる。
【０１８２】
[0213]  コンピュータシステム１３００は、プロセッサ１３０４等の１つ又は複数のプロセッサ（中央演算処理装置又はＣＰＵとも呼ばれる）を含む。プロセッサ１３０４は、通信基盤又はバス１３０６に接続される。
【０１８３】
[0214]  コンピュータシステム１３００は、ユーザ入／出力インターフェース１３０２を通して通信基盤１３０６と通信する、モニタ、キーボード、ポインティングデバイス等のユーザ入／出力デバイス１３０３も含む。
【０１８４】
[0215]  コンピュータシステム１３００は、ランダムアクセスメモリ（ＲＡＭ）等のメイン又はプライマリメモリ１３０８も含む。メインメモリ１３０８は、１つ又は複数のレベルのキャッシュを含むことができる。メインメモリ１３０８は、制御論理（すなわち、コンピュータソフトウェア）及び／又はデータを記憶している。
【０１８５】
[0216]  コンピュータシステム１３００は、１つ又は複数のセカンダリ記憶装置又はメモリ１３１０を含むこともできる。セカンダリメモリ１３１０は、例えば、ハードディスクドライブ１３１２及び／又はリムーバブル記憶装置又はドライブ１３１４を含むことができる。リムーバブル記憶ドライブ１３１４は、固体状態メモリ、フロッピーディスクドライブ、磁気テープドライブ、コンパクトディスクドライブ、光学記憶装置、テープバックアップ装置、及び／又は任意の他の記憶装置／ドライブであることができる。
【０１８６】
[0217]  リムーバブル記憶ドライブ１３１４は、リムーバブル記憶ユニット１３１８と対話することができる。リムーバブル記憶ユニット１３１８は、コンピュータソフトウェア（制御論理）及び／又はデータを記憶したコンピュータ使用可能又は可読記憶装置を含む。リムーバブル記憶ユニット１３１８は、フロッピーディスク、磁気テープ、コンパクトディスク、ＤＶＤ、光学記憶ディスク、及び／又は任意の他のコンピュータデータ記憶装置であることができる。リムーバブル記憶ドライブ１３１４は、周知の様式でリムーバブル記憶ユニット１３１８に読み出し及び／又は書き込みを行うことができる。
【０１８７】
[0218]  例示的な一実施形態によれば、セカンダリメモリ１３１０は、コンピュータシステム１３００がコンピュータプログラム及び／又は他の命令及び／又はデータにアクセスできるようにする他の手段、機器、又は他の手法を含むこともできる。そのような手段、機器、又は他の手法は、例えば、リムーバブル記憶ユニット１３２２及びインターフェース１３２０を含むことができる。リムーバブル記憶ユニット１３２２及びインターフェース１３２０の例は、プログラムカートリッジ及びカートリッジインターフェース（テレビゲームデバイスで見られる等）、リムーバブルメモリチップ（ＥＰＲＯＭ又はＰＲＯＭ等）及び関連するソケット、メモリスティック及びＵＳＢポート、メモリカード及び関連するメモリカードスロット、及び／又は任意の他のリムーバブル記憶ユニット及び関連するインターフェースを含むことができる。
【０１８８】
[0219]  コンピュータシステム１３００は、通信又はネットワークインターフェース１３２４を更に含むことができる。通信インターフェース１３２４は、コンピュータシステム１３００がリモートデバイス、リモートネットワーク、リモートエンティティ等（個々に及びまとめて参照番号１３２８で参照される）の任意の組合せと通信し対話できるようにする。例えば、通信インターフェース１３２４は、コンピュータシステム１３００が通信路１３２６を介してリモートデバイス１３２８と通信できるようにし、通信路１３２６は、有線及び／又は無線であることができ、ＬＡＮ、ＷＡＮ、インターネット等の任意の組合せを含むことができる。制御論理及び／又はデータは、通信路１３２６を介してコンピュータシステム１３００とやりとりすることができる。
【０１８９】
[0220]  一実施形態では、制御論理（ソフトウェア）を記憶した有形コンピュータ使用可能又は可読媒体を含む有形の装置又は製品も、本明細書では、コンピュータプログラム製品又はプログラム記憶装置と呼ばれる。これは、限定ではなく、コンピュータシステム１３００、メインメモリ１３０８、セカンダリメモリ１３１０、リムーバブル記憶ユニット１３１８及び１３２２、並びに上記の任意の組合せを具現する有形製品を含む。そのような制御論理は、１つ又は複数のデータ処理デバイス（コンピュータシステム１３００等）によって実行されると、そのようなデータ処理デバイスを本明細書に記載のように動作させる。
【０１９０】
[0221]  本開示に含まれる教示に基づいて、データ処理デバイス、図１３に示される以外のコンピュータシステム、及び／又はコンピュータアーキテクチャを使用して本開示の実施形態をいかに作製し使用するかは当業者に明かである。特に、実施形態は、本明細書に記載される以外のソフトウェア、ハードウェア、及び／又はオペレーティングシステム実装で動作することができる。
【０１９１】
[0222]  本開示は、任意のコンピュータ使用可能媒体に記憶されたソフトウェアを含むコンピュータプログラム製品にも関する。そのようなソフトウェアは、１つ又は複数のデータ処理デバイスにおいて実行されると、データ処理デバイスを本明細書に記載のように動作させる。本開示の実施形態は、現在既知又は将来既知になる任意のコンピュータ使用可能又は可読媒体を利用する。コンピュータ使用可能媒体の例としては、限定ではなく、プライマリ記憶装置（例えば、任意のタイプのランダムアクセスメモリ）、セカンダリ記憶装置（例えば、ハードドライブ、フロッピーディスク、ＣＤ  ＲＯＭ、ＺＩＰディスク、テープ、磁気記憶装置、光学記憶装置、ＭＥＭＳ、ナノ技術記憶装置）、及び通信媒体（例えば、有線及び無線の通信ネットワーク、ローカルエリアネットワーク、広域ネットワーク、イントラネット等）が挙げられる。
【０１９２】
[0223]  本明細書に記載された例示的な実施形態は、限定ではなく例示のために提供されている。他の例示的な実施形態も可能であり、本開示の趣旨及び範囲内で例示的な実施形態に変更を行い得る。
【０１９３】
[0224]  詳細な説明のセクション及び否要約書セクションが特許請求の範囲の解釈に使用されるものであることを理解されたい。要約書セクションは、本開示の１つ又は複数であるが、全てではない例示的な実施形態を記載し得、したがって、決して、本開示及び添付される特許請求の範囲を限定するものではない。
【０１９４】
[0225]  本開示は、指定された機能の実施及びその関係を示す機能構築ブロックを用いて上述された。これらの機能構築ブロックの境界は、説明の便宜のために任意に定義された。指定された機能及びその関係が適宜実行される限り、代替の境界を定義することも可能である。
【０１９５】
[0226]  本開示の趣旨及び範囲から逸脱せずに、形態及び詳細に様々な変更を行うことが可能なことが当業者には明かである。したがって、本開示は、上述した例示的な実施形態のいずれによっても限定されるべきではない。更に、特許請求の範囲は、以下の特許請求の範囲及びその均等物に従ってのみ規定されるべきである。
【図１】
2019533402.tif 000049
【図２Ａ】
2019533402.tif 000050
【図２Ｂ】
2019533402.tif 000051
【図２Ｃ】
2019533402.tif 000052
【図２Ｄ】
2019533402.tif 000053
【図３】
2019533402.tif 000054
【図４Ａ】
2019533402.tif 000055
【図４Ｂ】
2019533402.tif 000056
【図４Ｃ】
2019533402.tif 000057
【図５】
2019533402.tif 000058
【図６Ａ】
2019533402.tif 000059
【図６Ｂ】
2019533402.tif 000060
【図７】
2019533402.tif 000061
【図８Ａ】
2019533402.tif 000062
【図８Ｂ】
2019533402.tif 000063
【図９Ａ】
2019533402.tif 000064
【図９Ｂ】
2019533402.tif 000065
【図９Ｃ】
2019533402.tif 000066
【図９Ｄ】
2019533402.tif 000067
【図９Ｅ】
2019533402.tif 000068
【図１０】
2019533402.tif 000069
【図１１】
2019533402.tif 000070
【図１２Ａ】
2019533402.tif 000071
【図１２Ｂ】
2019533402.tif 000072
【図１２Ｃ】
2019533402.tif 000073
【図１３】
2019533402.tif 000074
【国際調査報告】
2019533402.tif 000075
2019533402.tif 000076
2019533402.tif 000077
2019533402.tif 000078
2019533402.tif 000079